(57)【要約】      （修正有）【課題】複数の異なる帯域幅、複数の異なる送信モードに対応可能な複数のＯＦＤＭ（直交周波数分割多重）シンボル生成方法を提供する。【解決手段】ブロック１２０２は、ブロック１２０４及び１２０６を含む。ブロック１２０４において、データユニットが第１の帯域幅に対応する第１の送信モード、又は第２の帯域幅に対応する第２の送信モードで送信される場合、第１の数のＯＦＤＭトーンに対応する第１のトーンマップに基づき１つ又は複数のＯＦＤＭシンボルを生成し、ブロック１２０６において、データユニットが第３の帯域幅に対応する第３の送信モード、又は第４の帯域幅に対応する第４の送信モードで送信される場合、第２の数のＯＦＤＭトーンに対応する第２のトーンマップに基づき１つ又は複数のＯＦＤＭシンボルを生成する。ブロック１２０８において、データユニットのデータ部に、１つ又は複数のＯＦＤＭシンボルを含むデータユニットを生成する。【選択図】図１２
2019071647.tif 000002
【特許請求の範囲】
【請求項１】
通信チャネルを介した送信のためのデータユニットを生成する方法であって、前記方法は、
通信デバイスにおいて、１つ又は複数の直交周波数分割多重（ＯＦＤＭ）シンボルを生成する段階であって、第１の数のＯＦＤＭトーンに対応する第１のトーンマップに基づき、又は第２の数のＯＦＤＭトーンに対応する第２のトーンマップに基づき、前記１つ又は複数のＯＦＤＭシンボルを生成する段階を含む、段階と、
前記データユニットのデータ部に前記１つ又は複数のＯＦＤＭシンボルを含む前記データユニットを生成する段階と、
を備え、
前記第１のトーンマップは、前記データユニットが第１の帯域幅に対応する第１の送信モード、又は第２の帯域幅に対応する第２の送信モードで送信される場合に用いられ、前記第２の帯域幅は前記第１の帯域幅の２倍であり、前記第２のトーンマップは、前記データユニットが第３の帯域幅に対応する第３の送信モード、又は第４の帯域幅に対応する第４の送信モードで送信される場合に用いられ、前記第３の帯域幅は前記第２の帯域幅の２倍であり、前記第４の帯域幅は前記第３の帯域幅の２倍である、
方法。
【請求項２】
（ｉ）前記第１の帯域幅は２０ＭＨｚであり、（ｉｉ）前記第２の帯域幅は４０ＭＨｚであり、（ｉｉｉ）前記第３の帯域幅は８０ＭＨｚであり、（ｉｖ）前記第４の帯域幅は１６０ＭＨｚである、
請求項１に記載の方法。
【請求項３】
（ｉ）前記第１の数のＯＦＤＭトーンは２５６個のトーンであり、（ｉｉ）前記第２の数のＯＦＤＭトーンは５１２個のトーンであり、（ｉｉｉ）第３の数のＯＦＤＭトーンは１０２４個のトーンであり、（ｉｖ）第４の数のＯＦＤＭトーンは２０４８個のトーンである、
請求項２に記載の方法。
【請求項４】
１つ又は複数の集積回路を有するネットワークインタフェースデバイスを備える装置であって、
前記１つ又は複数の集積回路は、
１つ又は複数の直交周波数分割多重（ＯＦＤＭ）シンボルを生成し、第１の数のＯＦＤＭトーンに対応する第１のトーンマップに基づき、又は第２の数のＯＦＤＭトーンに対応する第２のトーンマップに基づき、前記１つ又は複数のＯＦＤＭシンボルを生成することを含み、前記第１のトーンマップは、データユニットが第１の帯域幅に対応する第１の送信モード、又は第２の帯域幅に対応する第２の送信モードで送信される場合に用いられ、前記第２の帯域幅は前記第１の帯域幅の２倍であり、前記第２のトーンマップは、前記データユニットが第３の帯域幅に対応する第３の送信モード、又は第４の帯域幅に対応する第４の送信モードで送信される場合に用いられ、前記第３の帯域幅は前記第２の帯域幅の２倍であり、前記第４の帯域幅は前記第３の帯域幅の２倍であり、
前記データユニットのデータ部に前記１つ又は複数のＯＦＤＭシンボルを含む前記データユニットを生成する、
装置。
【請求項５】
（ｉ）前記第１の帯域幅は２０ＭＨｚであり、（ｉｉ）前記第２の帯域幅は４０ＭＨｚであり、（ｉｉｉ）前記第３の帯域幅は８０ＭＨｚであり、（ｉｖ）前記第４の帯域幅は１６０ＭＨｚである、
請求項４に記載の装置。
【請求項６】
（ｉ）前記第１の数のＯＦＤＭトーンは２５６個のトーンであり、（ｉｉ）前記第２の数のＯＦＤＭトーンは５１２個のトーンであり、（ｉｉｉ）第３の数のＯＦＤＭトーンは１０２４個のトーンであり、（ｉｖ）第４の数のＯＦＤＭトーンは２０４８個のトーンである、
請求項４に記載の装置。
【発明の詳細な説明】
【技術分野】
【０００１】
［関連出願の相互参照］
本開示は、２０１４年６月２日に出願された「ＷＬＡＮ８０２．１１ａｘ用の高効率ＯＦＤＭ−ＰＨＹ（Ｈｉｇｈ  Ｅｆｆｉｃｉｅｎｃｙ  ＯＦＤＭ  ＰＨＹ  ｆｏｒ  ＷＬＡＮ  ８０２．１１ａｘ）」という名称の米国仮特許出願第６２／００６，５２２号、及び２０１４年７月２２日に出願された「ＷＬＡＮ８０２．１１ａｘ用の高効率ＯＦＤＭ−ＰＨＹ（Ｈｉｇｈ  Ｅｆｆｉｃｉｅｎｃｙ  ＯＦＤＭ  ＰＨＹ  ｆｏｒ  ＷＬＡＮ  ８０２．１１ａｘ）」という名称の米国仮特許出願第６２／０２７，４２５号の利益を主張し、その両方の開示はその全体の参照によって本明細書に組み込まれる。
【０００２】
本開示は、概して通信ネットワークに関し、より具体的には、直交周波数分割多重（ＯＦＤＭ）を利用する無線ローカルエリアネットワークに関する。
【背景技術】
【０００３】
インフラストラクチャモードで動作する場合、無線ローカルエリアネットワーク（ＷＬＡＮ）は、通常、アクセスポイント（ＡＰ）及び１つ又は複数のクライアントステーションを含む。ＷＬＡＮは、過去１０年間にわたって急速に進化している。ＷＬＡＮの規格、例えば米国電気電子技術者協会（ＩＥＥＥ）の８０２．１１ａ、８０２．１１ｂ、８０２．１１ｇ、及び８０２．１１ｎ規格などの開発は、シングルユーザピークデータスループットを向上させてきた。例えば、ＩＥＥＥ８０２．１１ｂ規格は１１メガビット／秒（Ｍｂｐｓ）のシングルユーザピークスループットを規定し、ＩＥＥＥ８０２．１１ａ及びＩＥＥＥ８０２．１１ｇ規格は５４Ｍｂｐｓのシングルユーザピークスループットを規定し、ＩＥＥＥ８０２．１１ｎ規格は６００Ｍｂｐｓのシングルユーザピークスループットを規定し、ＩＥＥＥ８０２．１１ａｃ規格はギガビット／秒（Ｇｂｐｓ）領域のシングルユーザピークスループットを規定する。将来的な規格は、数１０Ｇｂｐｓ領域のスループットなど、さらに大きいスループットを提供する見込みがある。
【発明の概要】
【０００４】
一実施形態において、通信チャネルを介した送信のデータユニット、つまり第１の通信プロトコルに準拠するデータユニットを生成する方法は、通信デバイスにおいて、１つ又は複数の直交周波数分割多重（ＯＦＤＭ）シンボルを生成する段階を含む。１つ又は複数のＯＦＤＭシンボルの各ＯＦＤＭシンボルは、（ｉ）第１の帯域幅を占有し、（ｉｉ）第１のトーン間隔で生成され、（ｉｉｉ）一連のパイロットトーンを含む。第１のトーン間隔は、第２のトーン間隔の１／Ｎの割合であり、第２のトーン間隔は、第２の通信プロトコルによって第１の帯域幅に対して規定され、Ｎは１より大きい正の整数である。一連のパイロットトーンは、第２の通信プロトコルによって第１の帯域幅に対して規定されたのと同じ数のパイロットトーンを含む。本方法は、通信デバイスにおいて、データユニットのデータ部に１つ又は複数のＯＦＤＭシンボルを含むデータユニットを生成する段階を更に含む。
【０００５】
別の実施形態において、装置はネットワークインタフェースデバイスを備え、ネットワークインタフェースデバイスは、１つ又は複数の集積回路を有し、第１の通信プロトコルに準拠するデータユニット用の１つ又は複数の直交周波数分割多重（ＯＦＤＭ）シンボルを生成するよう構成されている。１つ又は複数のＯＦＤＭシンボルの各ＯＦＤＭシンボルは、（ｉ）第１の帯域幅を占有し、（ｉｉ）第１のトーン間隔で生成され、（ｉｉｉ）一連のパイロットトーンを含む。第１のトーン間隔は、第２のトーン間隔の１／Ｎの割合であり、第２のトーン間隔は、第２の通信プロトコルによって第１の帯域幅に対して規定され、Ｎは１より大きい正の整数である。一連のパイロットトーンは、第２の通信プロトコルによって第１の帯域幅に対して規定されたのと同じ数のパイロットトーンを含む。１つ又は複数の集積回路は、データユニットのデータ部に１つ又は複数のＯＦＤＭシンボルを含むデータユニットを生成するよう更に構成されている。
【図面の簡単な説明】
【０００６】
【図１】一実施形態による、例示的な無線ローカルエリアネットワーク（ＷＬＡＮ）１０のブロック図である。
【０００７】
【図２Ａ】いくつかの実施形態による、物理層（ＰＨＹ）のデータユニットの図である。
【図２Ｂ】いくつかの実施形態による、物理層（ＰＨＹ）のデータユニットの図である。
【０００８】
【図３Ａ】いくつかの実施形態に従って、ＰＨＹデータユニットのＯＦＤＭシンボルで用いられる直交周波数分割多重（ＯＦＤＭ）のトーン間隔を示す図である。
【図３Ｂ】いくつかの実施形態に従って、ＰＨＹデータユニットのＯＦＤＭシンボルで用いられる直交周波数分割多重（ＯＦＤＭ）のトーン間隔を示す図である。
【図３Ｃ】いくつかの実施形態に従って、ＰＨＹデータユニットのＯＦＤＭシンボルで用いられる直交周波数分割多重（ＯＦＤＭ）のトーン間隔を示す図である。
【０００９】
【図４】一実施形態に従って、データユニットのＯＦＤＭシンボルで用いられるガードインターバルを示す図である。
【００１０】
【図５】一実施形態による、ＰＨＹ処理ユニットのブロック図である。
【００１１】
【図６】別の実施形態による、別のＰＨＹ処理ユニットのブロック図である。
【００１２】
【図７】いくつかの実施形態においてＯＦＤＭシンボルに対応するトーンマップである。
【図８】いくつかの実施形態においてＯＦＤＭシンボルに対応するトーンマップである。
【図９】いくつかの実施形態においてＯＦＤＭシンボルに対応するトーンマップである。
【００１３】
【図１０】一実施形態による、ＰＨＹデータユニットの図である。
【００１４】
【図１１】一実施形態による、データユニットを生成する方法のフロー図である。
【００１５】
【図１２】別の実施形態による、データユニットを生成する方法のフロー図である。
【発明を実施するための形態】
【００１６】
後述される複数の実施形態において、無線ローカルエリアネットワーク（ＷＬＡＮ）のアクセスポイント（ＡＰ）などの無線ネットワークデバイスが、複数のデータストリームを１つ又は複数のクライアントステーションに送信する。ＡＰは、少なくとも第１の通信プロトコルに従って、クライアントステーションとともに動作するよう構成されている。第１の通信プロトコルは、本明細書で、「高効率Ｗｉ‐Ｆｉ」、「ＨＥＷ」通信プロトコル、又はＩＥＥＥ８０２．１１ａｘ通信プロトコルと呼ばれることがある。いくつかの実施形態において、ＡＰの近くにある複数の異なるクライアントステーションが、１つ又は複数の他の通信プロトコルに従って動作するよう構成されている。この通信プロトコルは、ＨＥＷ通信プロトコルと同じ周波数帯域での動作を規定するが、概して、データスループットはより低い。データスループットがより低い通信プロトコル（例えば、ＩＥＥＥ８０２．１１ａ、ＩＥＥＥ８０２．１１ｎ、及び／又はＩＥＥＥ８０２．１１ａｃ）は、本明細書では総称して「レガシの」通信プロトコルと呼ばれる。
【００１７】
図１は、一実施形態による、例示的な無線ローカルエリアネットワーク（ＷＬＡＮ）１０のブロック図である。ＡＰ１４は、ネットワークインタフェースデバイス１６に連結されたホストプロセッサ１５を含む。ネットワークインタフェースデバイス１６は、媒体アクセス制御（ＭＡＣ）処理ユニット１８、及び物理層（ＰＨＹ）処理ユニット２０を含む。ＰＨＹ処理ユニット２０は複数の送受信機２１を含み、複数の送受信機２１は複数のアンテナ２４に連結されている。３つの送受信機２１及び３つのアンテナ２４が図１に図示されているが、他の複数の実施形態において、ＡＰ１４は、他の適切な数（例えば、１つ、２つ、４つ、５つなど）の送受信機２１及びアンテナ２４を含む。１つの実施形態において、ＭＡＣ処理ユニット１８及びＰＨＹ処理ユニット２０は、第１の通信プロトコル（例えば、ＨＥＷ通信プロトコル）に従って動作するよう構成されている。別の実施形態において、ＭＡＣ処理ユニット１８及びＰＨＹ処理ユニット２０は、第２の通信プロトコル（例えば、ＩＥＥＥ８０２．１１ａｃ規格）に従って動作するようにも構成されている。更に別の実施形態において、ＭＡＣ処理ユニット１８及びＰＨＹ処理ユニット２０は、第２の通信プロトコル、第３の通信プロトコル、及び／又は第４の通信プロトコル（例えば、ＩＥＥＥ８０２．１１ａ規格及び／又はＩＥＥＥ８０２．１１ｎ規格）に従って動作するよう更に構成されている。
【００１８】
ＷＬＡＮ１０は、複数のクライアントステーション２５を含む。４つのクライアントステーション２５が図１に図示されているが、様々なシナリオ及び実施形態において、ＷＬＡＮ１０は、他の適切な数（例えば、１つ、２つ、３つ、５つ、６つなど）のクライアントステーション２５を含む。複数のクライアントステーション２５のうち少なくとも１つ（例えば、クライアントステーション２５−１）は、少なくとも第１の通信プロトコルに従って動作するよう構成されている。いくつかの実施形態において、複数のクライアントステーション２５のうち少なくとも１つは、第１の通信プロトコルに従って動作するよう構成されていないが、第２の通信プロトコル、第３の通信プロトコル、及び／又は、第４の通信プロトコルのうち少なくとも１つに従って動作するよう構成されている（本明細書では「レガシのクライアントステーション」と呼ばれる）。
【００１９】
クライアントステーション２５−１は、ネットワークインタフェースデバイス２７に連結されたホストプロセッサ２６を含む。ネットワークインタフェースデバイス２７は、ＭＡＣ処理ユニット２８及びＰＨＹ処理ユニット２９を含む。ＰＨＹ処理ユニット２９は複数の送受信機３０を含み、複数の送受信機３０は複数のアンテナ３４に連結されている。３つの送受信機３０及び３つのアンテナ３４が図１に図示されているが、他の複数の実施形態において、クライアントステーション２５−１は、他の適切な数（例えば、１つ、２つ、４つ、５つなど）の送受信機３０及びアンテナ３４を含む。
【００２０】
一実施形態によれば、クライアントステーション２５−４はレガシのクライアントステーションである。すなわち、クライアントステーション２５−４は、第１の通信プロトコルに従ってＡＰ１４又は別のクライアントステーション２５により送信されるデータユニットを受信し且つこれを完全に復号することができない。同様に、一実施形態によれば、レガシのクライアントステーション２５−４は、第１の通信プロトコルに従ってデータユニットを送信することができない。その一方で、レガシのクライアントステーション２５−４は、第２の通信プロトコル、第３の通信プロトコル、及び／又は第４の通信プロトコルに従って、データユニットを受信し、完全に復号し、且つ送信することができる。
【００２１】
一実施形態において、クライアントステーション２５−２及び２５−３のうち一方又は両方は、クライアントステーション２５−１と同じ又は類似の構成を有する。一実施形態において、クライアントステーション２５−４は、クライアントステーション２５−１と類似の構成を有する。これらの実施形態において、クライアントステーション２５−１と同じ又は類似に構成された複数のクライアントステーション２５は、同じ又は異なる数の送受信機及びアンテナを有する。例えば、一実施形態に従って、クライアントステーション２５−２だけが、２つの送受信機及び２つのアンテナを有する。
【００２２】
様々な実施形態において、ＡＰ１４のＰＨＹ処理ユニット２０は、第１の通信プロトコルに準拠し且つ本明細書で説明される複数のフォーマットを有する複数のデータユニットを生成するよう構成されている。送受信機２１は、アンテナ２４を介して、生成されたデータユニットを送信するよう構成されている。同様に、送受信機２１は、アンテナ２４を介して、データユニットを受信するよう構成されている。様々な実施形態に従って、ＡＰ１４のＰＨＹ処理ユニット２０は、第１の通信プロトコルに準拠し且つ本明細書で説明される複数のフォーマットを有する複数の受信済みデータユニットを処理し、そのようなデータユニットが第１の通信プロトコルに準拠すると決定するよう構成されている。
【００２３】
様々な実施形態において、クライアントデバイス２５−１のＰＨＹ処理ユニット２９は、第１の通信プロトコルに準拠し且つ本明細書で説明される複数のフォーマットを有するデータユニットを生成するよう構成されている。送受信機３０は、アンテナ３４を介して、生成されたデータユニットを送信するよう構成されている。同様に、送受信機３０は、アンテナ３４を介して、データユニットを受信するよう構成されている。様々な実施形態に従って、クライアントデバイス２５−１のＰＨＹ処理ユニット２９は、第１の通信プロトコルに準拠し且つ以下に説明される複数のフォーマットを有する複数の受信済みデータユニットを処理し、そのようなデータユニットが第１の通信プロトコルに準拠すると決定するよう構成されている。
【００２４】
図２Ａは、一実施形態による、物理層（ＰＨＹ）の直交周波数分割多重（ＯＦＤＭ）データユニット２００の図であり、ＡＰ１４は、このデータユニットをクライアントステーション（例えば、クライアントステーション２５−１）に送信するよう構成されている。一実施形態において、クライアントステーション２５−１も、データユニット２００をＡＰ１４に送信するよう構成されている。データユニット２００は、ＨＥＷ通信プロトコルに準拠し、２０ＭＨｚ帯域幅を占有する。他の複数の実施形態において、データユニット２００に類似した複数のデータユニットが、他の適切なバンド幅、例えば、４０ＭＨｚ、８０ＭＨｚ、１６０ＭＨｚ、３２０ＭＨｚ、６４０ＭＨｚなど、又は他の適切なバンド幅を占有する。データユニット２００は、「混合モード」の状況、すなわち、ＷＬＡＮ１０がレガシの通信プロトコルに準拠するが第１の通信プロトコルには準拠しないクライアントステーション（例えば、レガシのクライアントステーション２５−４）を含む場合に適している。いくつかの実施形態において、データユニット２００は他の状況でも利用される。
【００２５】
データユニット２００はプリアンブル２０２を含み、そして、プリアンブル２０２は、レガシのプリアンブル部２０３及び高効率ＷＬＡＮ（ＨＥＷ）のプリアンブル部２０４を含む。レガシのプリアンブル部２０３は、Ｌ−ＳＴＦ２０５、Ｌ−ＬＴＦ２１０、及びＬ−ＳＩＧ２１５を含む。ＨＥＷのプリアンブル部２０４は、１つ又は複数のＨＥＷ信号フィールド（ＨＥＷ−ＳＩＧＡ）２２０、ＨＥＷショートトレーニングフィールド（ＨＥＷ−ＳＴＦ）２２５、Ｍ個（Ｍは整数）のＨＥＷロングトレーニングフィールド（ＨＥＷ−ＬＴＦ）２３０、及びＨＥＷ信号フィールドＢ（ＨＥＷ−ＳＩＧＢ）２３５を含む。Ｌ−ＳＴＦ２０５、Ｌ−ＬＴＦ２１０、Ｌ−ＳＩＧ２１５、ＨＥＷ−ＳＩＧＡ２２０、ＨＥＷ−ＳＴＦ２２５、Ｍ個のＨＥＷ−ＬＴＦ２３０、及びＨＥＷ−ＳＩＧＢ２３５のそれぞれは、整数の１つ又は複数のＯＦＤＭシンボルを有する。例えば、一実施形態において、ＨＥＷ−ＳＩＧＡ２２０は２つのＯＦＤＭシンボルを有し、一実施形態において、ＨＥＷ−ＳＩＧＢフィールドは１つのＯＦＤＭシンボルを有する。一実施形態において、Ｌ−ＳＩＧ２１５、ＨＥＷ−ＳＩＧＡ２２０、及びＨＥＷ−ＳＩＧＢ２３５は、概して、データユニット２００用のフォーマット情報を搬送する。いくつかの実施形態において、データユニット２００はデータ部（ＨＥＷ‐ＤＡＴＡ）２４０も含む。
【００２６】
図２Ａの実施形態において、データユニット２００は、Ｌ−ＳＴＦ２０５、Ｌ−ＬＴＦ２１０、Ｌ−ＳＩＧ２１５、及びＨＥＷ−ＳＩＧＡ２２０のそれぞれを１つ含む。データユニット２００に類似のＯＦＤＭデータユニットが、２０ＭＨｚ以外の累積帯域幅を占有する他の複数の実施形態において、Ｌ−ＳＴＦ２０５、Ｌ−ＬＴＦ２１０、Ｌ−ＳＩＧ２１５、ＨＥＷ−ＳＩＧＡ２２０のそれぞれは、一実施形態において、データユニットの全帯域幅の対応する数の２０ＭＨｚサブバンドにわたって繰り返される。例えば、一実施形態において、ＯＦＤＭデータユニットは８０ＭＨｚ帯域幅を占有し、従って、Ｌ−ＳＴＦ２０５、Ｌ−ＬＴＦ２１０、Ｌ−ＳＩＧ２１５、ＨＥＷ−ＳＩＧＡ２２０のそれぞれを４つ含む。いくつかの実施形態において、複数の異なる２０ＭＨｚサブバンド信号の変調は、複数の異なる角度により回転する。例えば、１つの実施形態において、第１のサブバンド内の全てのＯＦＤＭトーンは０度回転し、第２のサブバンド内の全てのＯＦＤＭトーンは９０度回転し、第３のサブバンドは１８０度回転し、第４のサブバンドは２７０度回転する。他の複数の実施形態において、異なる適切な複数の回転が利用されている。少なくともいくつかの実施形態において、２０ＭＨｚサブバンド信号の複数の異なる位相は、データユニット２００のＯＦＤＭシンボルについてピーク電力対平均電力比（ＰＡＰＲ）の減少をもたらす。一実施形態において、第１の通信プロトコルに準拠するデータユニットが、２０ＭＨｚ、４０ＭＨｚ、８０ＭＨｚ、１６０ＭＨｚ、３２０ＭＨｚ、６４０ＭＨｚなどの累積帯域幅を占有するＯＦＤＭデータユニットである場合、ＨＥＷ−ＳＴＦ、ＨＥＷ−ＬＴＦ、ＨＥＷ−ＳＩＧＢ、及びＨＥＷデータ部は、データユニットの対応する全帯域幅を占有する。
【００２７】
一実施形態において、第１の通信プロトコルは、レガシの通信プロトコルにより規定されるのと同じチャネライゼーション方式を利用する。例えば、第１の通信プロトコルは、ＩＥＥＥ８０２．１１ａｃ規格において規定されるのと同じチャネライゼーション方式を利用する。この実施形態において、第１の通信プロトコルは、２０ＭＨｚ、４０ＭＨｚ、８０ＭＨｚ、及び１６０ＭＨｚの通信チャネルで動作する。２０ＭＨｚ、４０ＭＨｚ、８０ＭＨｚ、及び１６０ＭＨｚの通信チャネルは、レガシの通信プロトコル（例えば、ＩＥＥＥ８０２．１１ａｃ規格）により利用されるチャネルと、例えば中心周波数において一致する。しかし、一実施形態において、第１の通信プロトコルは、レガシの通信プロトコル（例えば、ＩＥＥＥ８０２．１１ａｃ規格）により規定されるトーン間隔と異なるトーン間隔を規定する。例えば、一実施形態において、第１の通信プロトコルは、レガシの通信プロトコルにより規定されるトーン間隔の１／Ｎの割合のトーン間隔を規定し、Ｎは１より大きい適切な整数である。一実施形態において、整数Ｎは、偶数（例えば、２、４、６、８、１０など）である。一実施形態において、整数Ｎは２のべき乗（例えば、２、４、８、１６など）に対応する整数である。一実施形態において、縮小トーン間隔は、第１の通信プロトコルに用いられ、レガシの通信プロトコルによりサポート又は実現された通信距離と比較して通信距離を向上させる。更に又は代替的に、縮小トーン間隔は、第１の通信プロトコルに用いられ、同じ帯域幅のチャネルでレガシの通信プロトコルにより実現されたスループットと比較してスループットを増大させる。
【００２８】
図２Ｂは、一実施形態による、例示的な直交周波数分割多重アクセス（ＯＦＤＭＡ）データユニット２５０の図である。ＯＦＤＭＡデータユニット２５０は、複数のＯＦＤＭデータユニット２５２−１、２５２−２、及び２５２−３を含む。一実施形態において、ＡＰ１４は、ＯＦＤＭデータユニット２５２−１、２５２−２、２５２−３を、ＯＦＤＭＡデータユニット２５０内のそれぞれのＯＦＤＭサブチャネルを介して、異なるクライアントステーション２５に送信する。別の実施形態において、異なるクライアントステーション２５は、それぞれのＯＦＤＭデータユニット２５２−１、２５２−２、２５２−３を、ＯＦＤＭＡデータユニット２５０内のそれぞれのＯＦＤＭサブチャネルでＡＰ１４に送信する。この実施形態において、ＡＰ１４は、ＯＦＤＭデータユニット２５２−１、２５２−２、２５２−３を、ＯＦＤＭＡデータユニット２５０内のそれぞれのＯＦＤＭサブチャネルを介して複数のクライアントステーション２５から受信する。
【００２９】
一実施形態において、ＯＦＤＭデータユニット２５２−１、２５２−２、２５２−３のそれぞれは、ＯＦＤＭＡ送信をサポートする通信プロトコル、例えば、ＨＥＷ通信プロトコルなどに準拠する。ＯＦＤＭＡデータユニット２５０がダウンリンクＯＦＤＭＡデータユニットに対応する一実施形態において、ＯＦＤＭＡデータユニット２５０はＡＰ１４により生成され、これにより、各ＯＦＤＭデータユニット２５２は、ＯＦＤＭＡデータユニット２５０のクライアントステーションへのダウンリンク送信用に割り当てられたＷＬＡＮ１０のそれぞれのサブチャネルを介して、それぞれのクライアントステーション２５に送信される。同様に、ＯＦＤＭＡデータユニット２５０がアップリンクＯＦＤＭＡデータユニットに対応する一実施形態において、ＡＰ１４は、ＯＦＤＭデータユニット２５２のクライアントステーションからのアップリンク送信用に割り当てられたＷＬＡＮ１０のそれぞれのチャネルを介して、ＯＦＤＭデータユニット２５２を受信する。例えば、図示された実施形態において、ＯＦＤＭデータユニット２５２−１は、ＷＬＡＮ１０の第１の２０ＭＨｚサブチャネルを介して送信され、ＯＦＤＭデータユニット２５２−２は、ＷＬＡＮ１０の第２の２０ＭＨｚサブチャネルを介して送信され、ＯＦＤＭデータユニット２５２−３は、ＷＬＡＮ１０の４０ＭＨｚサブチャネルを介して送信される。
【００３０】
一実施形態において、複数のＯＦＤＭデータユニット２５２のそれぞれはプリアンブルを含み、プリアンブルは、１つ又は複数のレガシのショートトレーニングフィールド（Ｌ−ＳＴＦ）２５４、１つ又は複数のレガシのロングトレーニングフィールド（Ｌ−ＬＴＦ）２５６、１つ又は複数のレガシの信号フィールド（Ｌ−ＳＩＧ）２５８、１つ又は複数の第１の高効率ＷＬＡＮ信号フィールド（ＨＥＷ−ＳＩＧＡ）２６０、Ｎ個のＨＥＷロングトレーニングフィールド（ＨＥＷ−ＬＴＦ）、及び第２のＨＥＷ信号フィールド（ＨＥＷ−ＳＩＧＢ）２６４を含む。更に、各ＯＦＤＭデータユニット２５２は、高効率ＷＬＡＮデータ部（ＨＥＷ‐ＤＡＴＡ）２６８を含む。一実施形態において、各Ｌ−ＬＳＦフィールド２５６、各Ｌ−ＬＴＦフィールド２５８、各Ｌ−ＳＩＧフィールド２６０、及び各ＨＥＷ−ＳＩＧＡフィールド２６２は、ＷＬＡＮ１０によりサポートされた最小帯域幅（例えば、２０ＭＨｚ）を占有する。一実施形態において、ＯＦＤＭデータユニット２５２が、ＷＬＡＮ１０の最小帯域幅より大きい帯域幅を占有する場合には、各Ｌ−ＬＳＦフィールド２５６、各Ｌ−ＬＴＦフィールド２５８、各Ｌ−ＳＩＧフィールド２６０、及び各ＨＥＷ−ＳＩＧＡフィールド２６２は、ＯＦＤＭデータユニット２５２の各最小帯域幅部分（例えば、データユニット２５２の各２０ＭＨｚ部分）に複製される。その一方で、各ＨＥＷ−ＳＴＦフィールド２６２、各ＨＥＷ−ＬＴＦフィールド２６４、各ＨＥＷ−ＳＩＧＢフィールド２６６、及び各ＨＥＷデータ部２６８は、一実施形態において、対応するＯＦＤＭデータユニット２５２の帯域幅全体を占有する。例えば、図示された実施形態において、ＯＦＤＭデータユニット２５２−３は４０ＭＨｚを占有し、Ｌ−ＬＳＦフィールド２５６、Ｌ−ＬＴＦフィールド２５８、Ｌ−ＳＩＧフィールド２６０、及びＨＥＷ−ＳＩＧＡフィールド２６２は、ＯＦＤＭデータユニット２５２−３の上位及び下位の２０ＭＨｚ帯域に複製される。また、ＨＥＷ−ＳＴＦフィールド２６２のそれぞれ、ＨＥＷ−ＬＴＦフィールド２６４のそれぞれ、ＨＥＷ−ＳＩＧＢフィールド２６６のそれぞれ、及びＨＥＷデータ部２６８のそれぞれは、データユニット２５２の４０ＭＨｚ帯域幅全体を占有する。
【００３１】
いくつかの実施形態において、複数の異なるクライアントステーション２５のデータが、クライアントステーション２５に割り当てられたそれぞれの一連のＯＦＤＭトーンを用いて送信される。クライアントステーション２５に割り当てられた一連のＯＦＤＭトーンは、ＷＬＡＮ１０の最小チャネルより小さい帯域幅に対応してよい。例えば、一実施形態において、クライアントステーション２５に割り当てられた一連のＯＦＤＭトーンは、２０ＭＨｚより小さい帯域幅（例えば、５ＭＨｚ、１０ＭＨｚ、１５ＭＨｚ、又は２０ＭＨｚ未満の任意の他の適切なバンド幅）に対応する。一実施形態において、ＯＦＤＭデータユニット２５２がＷＬＡＮ１０の最小帯域幅より小さい帯域幅を占有する場合、それでもなお、各Ｌ−ＬＳＦフィールド２５６、各Ｌ−ＬＴＦフィールド２５８、各Ｌ−ＳＩＧフィールド２６０、及び各ＨＥＷ−ＳＩＧＡフィールド２６２は、ＯＦＤＭデータユニット２５２の最小帯域幅部分全体（例えば、データユニット２５２の２０ＭＨｚ部分）を占有する。その一方で、各ＨＥＷ−ＳＴＦフィールド２６２、各ＨＥＷ−ＬＴＦフィールド２６４、各ＨＥＷ−ＳＩＧＢフィールド２６６、及び各ＨＥＷデータ部２６８は、一実施形態において、対応するＯＦＤＭデータユニット２５２のより小さい帯域幅を占有する。一実施形態において、データユニット２５２は、概して、データユニット２５０内の任意の適切な数のＯＦＤＭトーンに対応する。
【００３２】
クライアントステーション２５に対応する一連のＯＦＤＭトーンは、本明細書では「リソースユニット（ＲＵ）」と呼ばれることがある。一実施形態において、各ＯＦＤＭデータユニット２５２は、クライアントステーション２５及び、クライアントステーション２５に割り当てられたリソースユニットに対応する。様々な実施形態において、クライアントステーション２５に対応するＲＵは、データユニット２５０内に適切な数のＯＦＤＭトーンを含む。例えば、いくつかの実施形態及び／又はシナリオにおいて、ＲＵは、２６個、５２個、１０６個、２４２個、４８４個、又は９９６個のＯＦＤＭトーンを含む。他の複数の実施形態において、ＲＵは他の適切な数のＯＦＤＭトーンを含む。
【００３３】
一実施形態において、パディング処理がＯＦＤＭデータユニット２５２の１つ又は複数に用いられ、ＯＦＤＭデータユニット２５２の長さを等しくする。従って、この実施形態において、複数のＯＦＤＭデータユニット２５２のそれぞれの長さは、ＯＦＤＭＡデータユニット２５２の長さに対応する。一実施形態において、複数のＯＦＤＭデータユニット２５２が均等な長さであることを保証することで、データユニット２５２を受信するクライアントステーション２５による確認応答フレームの送信が同期される。一実施形態において、複数のＯＦＤＭデータユニット２５２のうち１つ又は複数のそれぞれは、集約ＭＡＣサービスデータユニット（Ａ−ＭＰＤＵ）であり、これは更に、ＰＨＹプロトコルデータユニット（ＰＰＤＵ）に含まれている。一実施形態において、複数のＡ−ＭＰＤＵ２５２のうち１つ又は複数内のパディング処理（例えば、ゼロパディング）が、データユニット２５２の長さを等しくして、ＯＦＤＭＡデータユニット２５０に対応する確認応答フレームの送信を同期するのに用いられる。
【００３４】
図３Ａ〜３Ｃは、いくつかの実施形態において、図２Ａのデータユニット２００又は図２Ｂのデータユニット２５０などのデータユニットのＯＦＤＭシンボルで用いられる、ＯＦＤＭのトーン間隔を示す図である。最初に図３Ａを参照すると、トーン間隔３００は、レガシの通信プロトコルで規定されるトーン間隔に対応する。例えば、一実施形態において、トーン間隔３００は、ＩＥＥＥ８０２．１１ａｃ規格で規定されるトーン間隔に対応する。一実施形態において、特定の帯域幅用にトーン間隔３００で生成されるＯＦＤＭシンボルが、特定の帯域幅に３１２．５ｋＨｚのトーン間隔（ＴＳ）をもたらすデジタル逆フーリエ変換（ＩＤＦＴ）サイズを用いて生成される。例えば、一実施形態において、２０ＭＨｚ帯域幅にトーン間隔３００で生成されたＯＦＤＭシンボルは、６４ポイントのＩＤＦＴを用いて生成され、その結果、３１２．５ｋＨｚのトーン間隔（ＴＳ）になる。同様に、一実施形態において、４０ＭＨｚ帯域幅にトーン間隔３００で生成されたＯＦＤＭシンボルは、１２８ポイントのＩＤＦＴを用いて生成され、８０ＭＨｚ帯域幅にトーン間隔３００で生成されたＯＦＤＭシンボルは、２５６ポイントのＩＤＦＴを用いて生成され、１６０ＭＨｚ帯域幅にトーン間隔３００で生成されたＯＦＤＭシンボルは、５１２ポイントのＩＤＦＴを用いて生成されるなどである。代替的に、いくつかの実施形態において、複数のチャネル帯域幅のうち少なくともいくつかに生成されたＯＦＤＭシンボルは、帯域幅全体のサブバンドに３１２．５ｋＨｚのトーン間隔（ＴＳ）をもたらすＩＤＦＴサイズを用いて生成される。そのような複数の実施形態において、ＯＦＤＭシンボルの複数のサブバンドは、個々のサブバンドに３１２．５ｋＨｚのトーン間隔（ＴＳ）をもたらすＩＤＦＴサイズを用いて個別に生成される。例えば、一実施形態において、１６０ＭＨｚ幅チャネルのＯＦＤＭシンボルは、１６０ＭＨｚ幅チャネルの２つの８０ＭＨｚサブバンドの１つ１つに、２５６ポイントのＩＤＦＴを用いて生成される。
【００３５】
ここで図３Ｂを参照すると、トーン間隔３２０が、図３Ａの間隔３００に対して１／２倍に縮小されている。例えば、上記の例で続けると、２０ＭＨｚ帯域幅にトーン間隔３００で生成されたＯＦＤＭシンボルは、６４ポイントのＩＤＦＴを用いて生成されるが、２０ＭＨｚ帯域幅にトーン間隔３２０で生成されたＯＦＤＭシンボルは、１２８ポイントのＩＤＦＴを用いて生成され、その結果、図３Ａのトーン間隔３００の１／２（すなわち、１５６．２５ｋＨｚ）になる。同様に、一実施形態において、４０ＭＨｚ幅チャネルにトーン間隔３２０で生成されたＯＦＤＭシンボルは、２５６ポイントのＩＤＦＴを用いて生成され、８０ＭＨｚ帯域幅チャネルにトーン間隔３２０で生成されたＯＦＤＭシンボルは、５１２ポイントのＩＤＦＴを用いて生成され、１６０ＭＨｚ帯域幅チャネルにトーン間隔３２０で生成されたＯＦＤＭシンボルは、１０２４ポイントのＩＤＦＴを用いて生成されるなどである。代替的に、いくつかの実施形態において、複数のチャネル帯域幅のうち少なくともいくつかに生成されたＯＦＤＭシンボルは、帯域幅全体のサブバンドに１５６．２５ｋＨｚのトーン間隔（ＴＳ）をもたらすＩＤＦＴサイズを用いて生成される。そのような複数の実施形態において、ＯＦＤＭシンボルの複数のサブバンドは、個々のサブバンドに１５６．２５ｋＨｚのトーン間隔（ＴＳ）をもたらすＩＤＦＴサイズを用いて個別に生成される。例えば、一実施形態において、１６０ＭＨｚ帯域幅チャネルのＯＦＤＭシンボルは、１６０ＭＨｚ帯域幅チャネルの２つの８０ＭＨｚサブバンドの１つ１つに、５１２ポイントのＩＤＦＴを用いて生成される。
【００３６】
ここで図３Ｃを参照すると、トーン間隔３５０が、図３Ａの間隔３００に対して１／４倍に縮小されている。例えば、ここでも上記の例で続けると、一実施形態において、２０ＭＨｚ帯域幅にトーン間隔３００で生成されたＯＦＤＭシンボルは、６４ポイントのＩＤＦＴを用いて生成されるが、２０ＭＨｚ帯域幅にトーン間隔３５０で生成されたＯＦＤＭシンボルは、２５６ポイントのＩＤＦＴを用いて生成され、その結果、図３Ａのトーン間隔３００の１／４（すなわち、７８．１２５ｋＨｚ）になる。同様に、一実施形態において、４０ＭＨｚ帯域幅チャネルにトーン間隔３５０で生成されたＯＦＤＭシンボルは、５１２ポイントのＩＤＦＴを用いて生成され、８０ＭＨｚ帯域幅チャネルにトーン間隔３５０で生成されたＯＦＤＭシンボルは、１０２４ポイントのＩＤＦＴを用いて生成され、１６０ＭＨｚ帯域幅チャネルにトーン間隔３５０で生成されたＯＦＤＭシンボルは、２０４８ポイントのＩＤＦＴを用いて生成されるなどである。代替的に、いくつかの実施形態において、複数のチャネル帯域幅のうち少なくともいくつかに生成されたＯＦＤＭシンボルは、帯域幅全体のサブバンドに７８．１２５ｋＨｚのトーン間隔（ＴＳ）をもたらすＩＤＦＴサイズを用いて生成される。そのような複数の実施形態において、ＯＦＤＭシンボルの複数のサブバンドは、個々のサブバンドに７８．１２５ｋＨｚのトーン間隔（ＴＳ）をもたらすＩＤＦＴサイズを用いて個別に生成される。例えば、一実施形態において、１６０ＭＨｚ帯域幅チャネルのＯＦＤＭシンボルは、１６０ＭＨｚ帯域幅チャネルの２つの８０ＭＨｚサブバンドの１つ１つに、１０２４ポイントのＩＤＦＴを用いて生成される。単なる別の例として、一実施形態において、４０ＭＨｚ帯域幅チャネルのＯＦＤＭシンボルは、４０ＭＨｚ帯域幅チャネルの２つの２０ＭＨｚサブバンドの１つ１つに、２５６ポイントのＩＤＦＴを用いて生成される。更に別の例として、更に別の実施形態において、８０ＭＨｚ帯域幅チャネルのＯＦＤＭシンボルは、一実施形態において、８０ＭＨｚ帯域幅チャネルの４つの２０ＭＨｚサブバンドの１つ１つに、２５６ポイントのＩＤＦＴを用いて生成される。
【００３７】
図３Ａのトーン間隔３００など、レガシの通信プロトコルで規定されたトーン間隔は、本明細書において「標準的なトーン間隔」と呼ばれることがあり、図３Ｂのトーン間隔３２０及び図３Ｃのトーン間隔３５０など、レガシの通信プロトコルで規定されたトーン間隔より小さいトーン間隔は、本明細書において「縮小トーン間隔」と呼ばれることがある。
【００３８】
一般的に言って、ＯＦＤＭシンボルのシンボル時間長は、時間において、ＯＦＤＭシンボルで用いられるトーン間隔に反比例する。すなわち、ＯＦＤＭシンボルで用いられるトーン間隔にΔｆが対応する場合、ＯＦＤＭシンボルのシンボル時間長は、Ｔ＝１／Δｆである。従って、一実施形態において、ＯＦＤＭシンボルで用いられる相対的により小さいトーン間隔は、ＯＦＤＭシンボルの相対的により大きいシンボル時間長をもたらし、逆の場合も同様である。例えば、一実施形態において、図３ＡのΔｆ＝３１２．５ｋＨｚのトーン間隔は、３．２μｓのＯＦＤＭシンボル時間長をもたらし、図３ＢのΔｆ＝１５６．２５ｋＨｚのトーン間隔は、６．４μｓのＯＦＤＭシンボル時間長をもたらす。更に、受信デバイスがＯＦＤＭシンボルをサンプリングするのに必要とするサンプリングレートは、ＯＦＤＭシンボルを生成するのに用いられるＩＤＦＴサイズ（ポイント数）に反比例する。具体的には、一実施形態において、Ｎｆｆｔが、ＯＦＤＭシンボルを生成するのに用いられるＩＤＦＴサイズである場合、受信デバイスがＯＦＤＭシンボルをサンプリングするのに必要とするサンプリングレートは、Ｔ／Ｎｆｆｔであり、ＴはＯＦＤＭシンボル時間長（Ｔ＝１／Δｆ）である。
【００３９】
一実施形態において、第１の通信プロトコルは異なる長さの一連のガードインターバルを規定し、これらのガードインターバルは、通信チャネルのマルチパス伝搬により引き起こされる、受信機でのシンボル間干渉を防止する又は最小化するのに、ＯＦＤＭシンボルとともに用いられ得る。一般的に言って、一実施形態において、十分に長いガードインターバルが、利用中の特定のチャネルの遅延広がりに基づき干渉を軽減するのに必要とされる。その一方で、一実施形態において、特にＯＦＤＭシンボル時間長に対するガードインターバルの比、従って、送信され得るＯＦＤＭシンボルの「有効な」データ量の点で、相対的により短いガードインターバルが、概して、ガードインターバルに関連したより小さいオーバヘッドをもたらし、全体のスループットを向上させる。
【００４０】
図４は、一実施形態による、図２Ａのデータユニット２００又は図２Ｂのデータユニット２５０など、データユニットのＯＦＤＭシンボルで用いられるガードインターバルを示す図である。一実施形態において、ガードインターバル部４０２は、ＯＦＤＭシンボルの情報部分４０４の前に付加される。一実施形態において、ガードインターバルは、情報部分４０４の最終部を反復する巡回プレフィックスを含む。一実施形態において、ガードインターバル部４０２は受信デバイス（例えば、クライアントステーション２５−１）においてＯＦＤＭトーンの直交性を保証し、ＯＦＤＭシンボルが送信される通信チャネルのマルチパス伝搬に起因するシンボル間干渉を最小化する又は除去するのに用いられる。
【００４１】
一実施形態に従って、データユニット２００の特定のＯＦＤＭシンボルで用いられるガードインターバル部４０２の長さは、ＨＥＷ通信プロトコルによりサポートされる一連のガードインターバルから選択される。例えば、ＨＥＷ通信プロトコルによりサポートされる一連のガードインターバルは、０．４μｓ、０．８μｓ、１．６μｓ、及び３．２μｓのガードインターバルを含む。他の複数の実施形態において、ＨＥＷ通信プロトコルによりサポートされる一連のガードインターバルは、０．４μｓ、０．８μｓ、１．６μｓ、及び３．２μｓのうち１つ又は複数を除外する、及び／又は、０．４μｓ、０．８μｓ、１．６μｓ、及び３．２μｓのガードインターバルの代わりに、又はこれらに加えて、０．４μｓ、０．８μｓ、１．６μｓ、及び３．２μｓ以外の１つ又は複数の適切なガードインターバルを含む。一実施形態において、レガシの通信プロトコル（例えば、ＩＥＥＥ８０２．１１ｎ規格又はＩＥＥＥ８０２．１１ａｃ規格）で用いられる用語に従って、０．８μｓのガードインターバルは、本明細書において「標準的なガードインターバル」と呼ばれることがあり、０．４μｓのガードインターバルは、本明細書において「短いガードインターバル」と呼ばれることがある。
【００４２】
一実施形態において、第１の通信プロトコルは、少なくとも第１の送信モード（例えば、標準モード）及び第２の送信モード（例えば、高効率モード）を規定する。第１の送信モードは、標準的なトーン間隔を利用し、レガシの通信プロトコル（例えば、ＩＥＥＥ８０２．１１ａｃ規格）により規定されたガードインターバルをサポートする。第２の送信モードは、レガシの通信プロトコルのトーン間隔及びガードインターバルと比較して、縮小トーン間隔及び／又はより大きいガードインターバルを利用する。例えば、一実施形態において、標準モードは、図３Ａの標準的なトーン間隔３００を利用し、０．４μｓ及び０．８μｓのガードインターバルをサポートする。その一方で高効率モードは、例示的な実施形態において、図３Ｃの１／４トーン間隔３５０を利用し、０．４μｓ、０．８μｓ、１．６μｓ、２．４μｓ、及び３．２μｓのガードインターバル選択肢のうち２つ又はそれより多く（例えば、これらのうち２つ、３つ、４つなど）、あるいは他の適切なガードインターバル選択肢をサポートする。代替的に、別の実施形態において、第１の通信プロトコルは標準モードを規定する。標準モードは、縮小トーン間隔（例えば、１／２トーン間隔又は１／４トーン間隔）を利用し、０．４μｓ、０．８μｓ、１．６μｓ、２．４μｓ、及び３．２μｓのガードインターバル選択肢のうち２つ又はそれより多く（例えば、これらのうち２つ、３つ、４つなど）、あるいは他の適切なガードインターバル選択肢をサポートする。
【００４３】
一実施形態において、図２Ａのデータユニット２００又は図２Ｂのデータユニット２５０などのデータユニットで用いられている特定の送信モードは、データユニットのプリアンブルに含まれるモード表示によって受信デバイスに伝えられる。例えば、図２Ａのデータユニット２００を参照すると、一実施形態において、ＨＥＷ−ＳＩＧＡフィールド２２０又はＨＥＷ−ＳＩＧＢフィールド２３５は、データユニット２００で用いられる送信モードの表示を含む。別の実施形態において、図２Ａのデータユニット２００又は図２Ｂのデータユニット２５０などのデータユニットのプリアンブルは、データユニット２００のプリアンブルの１つ又は複数のフィールドの変調（例えば、二位相偏移変調（ＢＰＳＫ）対９０度偏移した二位相偏移変調（Ｑ−ＢＰＳＫ））に基づき、受信デバイスがデータユニット２００で用いられる送信モードを自動検出し得るようにフォーマットされる。
【００４４】
いくつかの実施形態において、図２Ａのデータユニット２００又は図２Ｂのデータユニット２５０などのデータユニットの複数のＯＦＤＭシンボルのうちいくつかは、レガシの通信プロトコル（例えば、ＩＥＥＥ８０２．１１ａｃ規格）の標準的なトーン間隔及び標準ガードインターバル（例えば、０．８μｓ）を用いて生成され、データユニットの他のＯＦＤＭシンボルは、縮小トーン間隔（例えば、図３Ｂの１／２トーン間隔３２０又は図３Ｃのトーン間隔３５０）を用いて、及び／又は、レガシの通信プロトコルによりサポートされたガードインターバルと比較してより長いガードインターバルを用いて生成される。例えば、図２Ａを参照すると、一実施形態において、Ｌ−ＳＴＦ２０５、Ｌ−ＬＴＦ２１０、Ｌ−ＳＩＧ２１５、ＨＥＷ−ＳＩＧＡ２２０、及びＨＥＷ−ＳＴＦフィールド２２５は、ＩＥＥＥ８０２．１１ａｃ規格の標準的なトーン間隔及び標準ガードインターバル（例えば、０．８μｓ）を用いて生成され、ＨＥＷ−ＬＴＦ２３０、ＨＥＷ−ＳＩＧＢ２３５、及びデータ部２４０は、縮小トーン間隔（例えば、図３Ｂの１／２トーン間隔３２０又は図３Ｃのトーン間隔３５０）を用いて、及び／又は、ＩＥＥＥ８０２．１１ａｃ規格によりサポートされたガードインターバルと比較してより長いガードインターバルを用いて、生成される。別の例として、別の実施形態において、Ｌ−ＳＴＦ２０５、Ｌ−ＬＴＦ２１０、Ｌ−ＳＩＧ２１５、及びＨＥＷ−ＳＩＧＡ２２０は、ＩＥＥＥ８０２．１１ａｃ規格の標準的なトーン間隔及び標準ガードインターバル（例えば、０．８μｓ）を用いて生成され、ＨＥＷ−ＳＴＦフィールドは、標準的なトーン間隔及びＩＥＥＥ８０２．１１ａｃ規格によりサポートされたガードインターバルと比較してより長いガードインターバルを用いて生成され、ＨＥＷ−ＬＴＦ２３０、ＨＥＷ−ＳＩＧＢ２３５、及びデータ部２４０は、縮小トーン間隔（例えば、図３Ｂの１／２トーン間隔３２０又は図３Ｃのトーン間隔３５０）を用いて、及び／又は、ＩＥＥＥ８０２．１１ａｃ規格によりサポートされたガードインターバルと比較してより長いガードインターバルを用いて生成される。
【００４５】
図５は、一実施形態に従って、図２Ａのデータユニット２００又は図２Ｂのデータユニット２５０など、第１の通信プロトコルに準拠するデータユニットを生成するよう構成された例示的なＰＨＹ処理ユニット５００の送信部のブロック図である。図１を参照すると、１つの実施形態において、ＡＰ１４のＰＨＹ処理ユニット２０及びクライアントステーション２５−１のＰＨＹ処理ユニット２９はそれぞれ、ＰＨＹ処理ユニット５００に類似する、又はこれと同一である。ＰＨＹ処理ユニット５００は、一実施形態において、図２Ａのデータユニット２００又は図２Ｂのデータユニット２５０などのデータユニットを生成するよう構成されている。しかし他の複数の実施形態において、ＰＨＹ処理ユニット５００は、図２Ａのデータユニット２００又は図２Ｂのデータユニット２５０と異なる適切なデータユニットを生成するよう構成されている。同様に、いくつかの実施形態において、ＰＨＹ処理ユニット５００と異なる適切なＰＨＹ処理ユニットが、図２Ａのデータユニット２００又は図２Ｂのデータユニット２５０などのデータユニットを生成するよう構成されている。
【００４６】
一実施形態において、ＰＨＹ処理ユニット５００は処理経路５０１を含み、更に、ＰＨＹパディング処理ユニット５０２、スクランブラ５０６、エンコーダパーサ５１０、１つ又は複数の前方誤り訂正（ＦＥＣ）エンコーダ５１２、ストリームパーサ５１６、セグメントパーサ５１８、ＢＣＣインターリーバ５２０、コンスタレーションマッパ５２２、ＬＤＰＣトーンマッパ５２６、セグメントデパーサ５２８、時空間ブロック符号化（ＳＴＢＣ）ユニット５３０、巡回シフトダイバーシティ（ＣＳＤ）ユニット５３２、及び空間マッピングユニット５３６を含む。処理経路５０１の様々なコンポーネントは、いくつかの実施形態に従って、以下にさらに詳細に説明される。いくつかの実施形態において、処理経路５０１の複数のコンポーネントのうちいくつかは、以下にさらに詳細に説明されるように回避される、又は省略される。更に、処理ユニット５００が図２Ｂのデータユニット２５などのＯＦＤＭＡデータユニットを生成するよう構成された一実施形態において、ＰＨＹ処理ユニット５００は複数の処理経路５０１を含み、それぞれの処理経路５０１は、一実施形態において、ＯＦＤＭＡデータユニットが送信される特定のクライアントステーションに対応する。より一般的には、一実施形態において、ＰＨＹ処理ユニット５００の処理経路５０１は、クライアントステーション２５に割り当てられた、ＯＦＤＭトーンのサブセット又はリソースユニットに対応する。
【００４７】
一実施形態において、処理経路５０１のパディング処理ユニット５０２は、情報ビットストリームをスクランブラ５０６に提供する前に、一実施形態に従って１つ又は複数のパディングビットを情報ビットストリームに追加する。一実施形態において、スクランブラ５０６は概して、情報ビットストリームをスクランブルして、１又は０の長い配列の発生を減少させる。エンコーダパーサ５１０はスクランブラ５０６に連結されている。エンコーダパーサ５１０は、情報ビットストリームを、１つ又は複数のＦＥＣエンコーダ５１２に対応する１つ又は複数のエンコーダ入力ストリームに逆多重化する。
【００４８】
３つのＦＥＣエンコーダ５１２が図５に示されているが、様々な実施形態及び／又はシナリオにおいて、異なる数のＦＥＣエンコーダが含まれる、及び／又は、異なる数のＦＥＣエンコーダが並行して動作する。例えば、１つの実施形態に従って、ＰＨＹ処理ユニット５００は４つのＦＥＣエンコーダ５１２を含み、これらのＦＥＣエンコーダ５１２のうち１つ、２つ、３つ、又は４つが、特定の変調・符号化スキーム（ＭＣＳ）、帯域幅、及び空間ストリームの数に応じて同時に動作する。各ＦＥＣエンコーダ５１２は対応する入力ストリームを符号化して、対応する符号化されたストリームを生成する。１つの実施形態において、各ＦＥＣエンコーダ５１２は、バイナリ畳み込み符号器（ＢＣＣ）を含む。別の実施形態において、各ＦＥＣエンコーダ５１２はＢＣＣを含み、その後にパンクチャリングブロックが続く。別の実施形態において、各ＦＥＣエンコーダ５１２は、低密度パリティチェック（ＬＤＰＣ）エンコーダを含む。ＬＤＰＣ符号化が利用されるいくつかの実施形態において、１つのエンコーダ５１２だけが、ビット情報ストリームを符号化するのに利用され、エンコーダパーサ５１０が回避される、又は省略される。
【００４９】
ストリームパーサ５１６が、別個のインターリーブ及び複数のコンスタレーションポイント／シンボルへのマッピングのために、１つ又は複数の符号化されたストリームを１つ又は複数の空間ストリームにパースする。１つの実施形態において、ストリームパーサ５１６は、次の数式が満たされるようにＩＥＥＥ８０２．１１ａｃ規格に従って動作する。
【数１】
2019071647.tif 000003
ｓは、ＮＳＳ個の空間ストリームのそれぞれのコンスタレーションポイントにおいて１つの軸に割り当てられた符号化されたビット数であり、ＮＢＰＳＣＳは、サブキャリア当たりのビット数である。一実施形態において、各ＦＥＣエンコーダ５１２（ＢＣＣであってもＬＤＰＣであっても）では、ｓ個の符号化されたビットの連続したブロックが、ラウンドロビン方式で異なる空間ストリームに割り当てられる。一連のＦＥＣエンコーダ５１２が２つ又はそれより多くのＢＣＣエンコーダを含むいくつかの実施形態において、個々のＦＥＣエンコーダ５１２の出力が、各ラウンドロビンサイクルに合わせて交互に用いられる。すなわち、最初に第１のＦＥＣエンコーダ５１２のＳ個のビットがＮＳＳ個の空間ストリームに供給され、次に第２のＦＥＣエンコーダ１０６のＳ個のビットがＮＳＳ個の空間ストリームに供給されるなどである。ここで、
【数２】
2019071647.tif 000004
【００５０】
ＮＳＳ個の空間ストリームのそれぞれに対応して、セグメントパーサ５１８は、符号化されたビットを複数のセグメントにパースする。一実施形態において、各セグメントパーサ５１８は、ストリームパーサ５１６の出力における符号化されたビットを、データユニットが生成されている通信チャネルの複数の周波数サブバンドに対応する複数のセグメントにパースする。単なる説明のための例として、４０ＭＨｚ幅の通信チャネルでは、各セグメントパーサ５１８は、ストリームパーサ５１６の出力における符号化されたビットを、４０ＭＨｚチャネルの２つの２０ＭＨｚ周波数のサブバンドに対応する２つのセグメントにパースする。別の例として、一実施形態において、１６０ＭＨｚの通信チャネルでは、各セグメントパーサ５１８は、ストリームパーサ５１６の出力における符号化されたビットを、１６０ＭＨｚチャネルの２つの８０ＭＨｚ周波数サブバンドに対応する２つのセグメントにパースする。各セグメントパーサ５１８が、２つの出力を有する２つのセグメントパーサとして図５に図示されているが、いくつかの実施形態において、各セグメントパーサ５１８は、符号化されたビットを２より大きい数のセグメントにパースする。一実施形態において、例えば、８０ＭＨｚ幅の通信チャネルでは、各セグメントパーサ５１８は、ストリームパーサ５１６の出力における符号化されたビットを、８０ＭＨｚチャネルの４つの２０ＭＨｚ周波数サブバンドに対応する４つのセグメントにパースする。別の例として、１６０ＭＨｚの通信チャネルでは、一実施形態において、セグメントパーサ５１８は、ストリームパーサ５１６の出力における符号化されたビットを、１６０ＭＨｚチャネルの８つの２０ＭＨｚ周波数サブバンドに対応する８つのセグメントにパースする。
【００５１】
一実施形態において、セグメントパーサ５１８は、いくつかの送信モードだけで利用され（例えば、いくつかのチャネル帯域幅だけに対応する）、他の送信モード（例えば、他のチャネル帯域幅用）では回避される、又は省略される。例えば、一実施形態において、セグメントパーサ５１８は、４０ＭＨｚ帯域幅を有する通信チャネル及び１６０ＭＨｚ帯域幅を有する通信チャネルに対応する送信モードで利用され、一実施形態において、２０ＭＨｚ帯域幅を有する通信チャネル及び８０ＭＨｚ帯域幅を有する通信チャネルに対応する送信モードでは回避される、又は省略される。別の例として、別の実施形態において、セグメントパーサ５１８は、１６０ＭＨｚ帯域幅を有する通信チャネルに対応する送信モードで利用され、２０ＭＨｚ帯域幅、４０ＭＨｚ帯域幅、及び８０ＭＨｚ帯域幅を有する通信チャネルに対応する送信モードでは回避される、又は省略される。しかし他の複数の実施形態において、セグメントパーサ５１８は、他の適切なチャネル帯域幅に対応する送信モードで利用される、及び／又は回避される。
【００５２】
一実施形態において、各空間ストリーム及び各セグメントに対応する符号化されたビットは、それぞれのＢＣＣインターリーバ５２０により処理される。一実施形態において、空間ストリーム及びセグメントに対応するインターリーバ５２０は、空間ストリーム及びセグメントの複数のビットをインターリーブし（すなわち、ビットの順序を変更し）、空間ストリーム及びセグメント内の隣接するノイズビットの長い配列が、受信機のデコーダに入ることを防止する。より具体的には、インターリーバ５２０は、隣接する符号化されたビットを周波数ドメイン又は時間ドメインの非隣接位置にマッピングする。一実施形態において、インターリーバ５２０は各データストリームにおいて２つの周波数変換を実行し、そして異なるストリーム上でビットを別な方法で周期的に移動する第３の変換を実行する。様々な実施形態において、インターリーバ５２０により用いられるパラメータＮｃｏｌ、Ｎｒｏｗ、及びＮｒｏｔ（すなわち、それぞれ、行の数、列の数、及び周波数回転パラメータ）は、生成されているデータユニットの帯域幅及びデータユニットを生成するのに利用されるＦＦＴサイズに基づく、適切な値である。一実施形態において、インターリーバ５２０による第１の変換は、隣接する符号化されたビットが、信号の非隣接サブキャリア上にマッピングされることを保証する。一実施形態において、インターリーバ５２０により実行される第２の変換は、隣接する符号化されたビットが、コンスタレーションのあまり重要でないビット及び重要なビット上に代替的にマッピングされ、低信頼性ビットの長い配列を回避することを保証する。更に、複数の空間ストリームを有する複数の実施形態において、第３の変換がインターリーバ５２０により実行され、一実施形態において、第３の変換が、それぞれの異なる空間ストリームに対して異なる周波数回転を実行する。
【００５３】
一実施形態において、２０ＭＨｚ幅チャネル用に生成されているＯＦＤＭシンボルのために、ＢＣＣインターリーバ５２０により利用されるパラメータＮｃｏｌ、Ｎｒｏｗ、及びＮｒｏｔは、８０ＭＨｚ通信チャネル用のＩＥＥＥ８０２．１１ａｃ規格によりそれぞれ規定されるＮｃｏｌ、Ｎｒｏｗ、及びＮｒｏｔに対応する。同様に、一実施形態において、４０ＭＨｚ通信チャネル用に符号化されたビットの２つのセグメントが、２つのＢＣＣインターリーバ５２０によりそれぞれ処理される一実施形態において、４０ＭＨｚ幅チャネル用に生成されているＯＦＤＭシンボルのためのパラメータＮｃｏｌ、Ｎｒｏｗ、及びＮｒｏｔは、第１の通信プロトコルの２０ＭＨｚ幅チャネル用にそれぞれ用いられるＮｃｏｌ、Ｎｒｏｗ、及びＮｒｏｔ（例えば、ＩＥＥＥ８０２．１１ａｃ規格により８０ＭＨｚ通信に対して規定されたＮｃｏｌ、Ｎｒｏｗ、及びＮｒｏｔパラメータ）に対応する。その一方で、４０ＭＨｚチャネル用のＯＦＤＭシンボルが、複数の符号化されたビットの１つのセグメントを用いて生成される（例えば、セグメントパーサ５１８が省略される、又は回避される）一実施形態において、４０ＭＨｚ帯域幅を有する通信チャネルのための第１の通信プロトコルにより規定される新たな（例えば、ＩＥＥＥ８０２．１１ａｃ規格に前もって規定されていない）Ｎｃｏｌ、Ｎｒｏｗ、及びＮｒｏｔパラメータが利用される。一実施形態において、新たなＮｃｏｌ、Ｎｒｏｗ、及びＮｒｏｔパラメータは、レガシの通信プロトコル（例えば、ＩＥＥＥ８０２．１１ａｃ規格）により４０ＭＨｚチャネルに対して規定された対応するＮｃｏｌ、Ｎｒｏｗ、及びＮｒｏｔパラメータのスケーリング版である。例えば、例示的な一実施形態において、新たなＮｃｏｌ及びＮｒｏｗパラメータは、ＩＥＥＥ８０２．１１ａｃ規格の４０ＭＨｚチャネルに対して規定され、少なくともおよそｓｑｒｔ（Ｎ）でスケーリングされたＮｃｏｌ及びＮｒｏｗパラメータにそれぞれ対応する。ここでｓｑｒｔ（）は平方根関数であり、Ｎは係数で、それにより、トーン間隔が第１の通信プロトコルの４０ＭＨｚ帯域幅用に縮小される。更に、一実施形態において、Ｎｃｏｌ及びＮｒｏｗのうち一方又は両方は調整され、そのようなＮｃｏｌ及びＮｒｏｗの積は、一実施形態において、４０ＭＨｚ帯域幅のデータトーンの数に対応する。ここでＮｒｏｔパラメータを参照すると、例示的な実施形態において、Ｎｒｏｔは、４０ＭＨｚ帯域幅に対してＩＥＥＥ８０２．１１ａｃ規格により規定され、ＮでスケーリングされたＮｒｏｔパラメータに対応する。しかし、他の複数の実施形態において、レガシの通信プロトコルにより規定された対応するパラメータと異なる、他の適切なＮｃｏｌ、Ｎｒｏｗ、及びＮｒｏｔパラメータが利用される。
【００５４】
一実施形態において、１０２４ポイントのＩＤＦＴを有する８０ＭＨｚ幅チャネル用に生成されているＯＦＤＭシンボルに用いられるパラメータＮｃｏｌ、Ｎｒｏｗ、及びＮｒｏｔ、つまり、新たな（例えば、ＩＥＥＥ８０２．１１ａｃ規格に前もって規定されていない）Ｎｃｏｌ、Ｎｒｏｗ、及びＮｒｏｔパラメータが利用される。一実施形態において、新たなＮｃｏｌ、Ｎｒｏｗ、及びＮｒｏｔパラメータは、一実施形態において、ＩＥＥＥ８０２．１１ａｃ規格の８０ＭＨｚ幅チャネルに対して規定された対応するパラメータのスケーリング版である。一例として、例示的な実施形態において、新たなＮｃｏｌ、Ｎｒｏｗ、及びＮｒｏｔパラメータは、８０ＭＨｚ帯域幅に対してＩＥＥＥ８０２．１１ａｃ規格により規定され、ＩＥＥＥ８０２．１１ａｃ規格に対するトーン間隔の縮小に比例する係数でスケーリングされたＮｃｏｌ、Ｎｒｏｗ、及びＮｒｏｔに対応する。例えば、例示的な一実施形態において、新たなＮｃｏｌ及びＮｒｏｗパラメータは、ＩＥＥＥ８０２．１１ａｃ規格の８０ＭＨｚ帯域幅に対して規定され、少なくともおよそｓｑｒｔ（Ｎ）でスケーリングされたＮｃｏｌ及びＮｒｏｗパラメータにそれぞれ対応する。ここでｓｑｒｔ（）は平方根関数であり、Ｎは係数で、それにより、トーン間隔が第１の通信プロトコルの８０ＭＨｚ帯域幅用に縮小される。更に、一実施形態において、Ｎｃｏｌ及びＮｒｏｗのうち一方又は両方は調整され、そのようなＮｃｏｌ及びＮｒｏｗの積は、一実施形態において、８０ＭＨｚ帯域幅のデータトーンの数に対応する。ここでＮｒｏｔパラメータを参照すると、例示的な実施形態において、Ｎｒｏｔは、８０ＭＨｚ帯域幅に対してＩＥＥＥ８０２．１１ａｃ規格により規定され、ＮでスケーリングされたＮｒｏｔパラメータに対応する。従って、例えば、１／４トーン間隔が８０ＭＨｚチャネルに利用される一実施形態において、ＢＣＣインターリーバ５２０により用いられるＮｃｏｌ、Ｎｒｏｗ、及びＮｒｏｔは、Ｎｃｏｌ＝５５（およそ２６×２）、Ｎｒｏｗ＝１８×ＮＢＰＳＣＳ（２×９×ＮＢＰＳＣＳ）であり、ここでＮＢＰＳＣＳは各空間ストリームの１つのキャリア当たりの符号化されたビット数（利用されている変調・符号化スキーム（ＭＣＳ）に基づく）であり、一実施形態において、空間ストリームの数（ＮＳＳ）が４より小さい又はこれと等しい場合にＮｒｏｔ＝５８×４であり、又は空間ストリームの数（ＮＳＳ）が４より大きい場合にＮｒｏｔ＝２８×４である。別の例として、別の実施形態において、空間ストリームの数（ＮＳＳ）が４より小さい又はこれと等しい場合にＮｒｏｔ＝６２×４であり、あるいは、空間ストリームの数（ＮＳＳ）が４より大きい場合にＮｒｏｔ＝３０×４、又は３２×４である。しかし、他の複数の実施形態において、レガシの通信プロトコルにより規定された対応するパラメータと異なる、他の適切なＮｃｏｌ、Ｎｒｏｗ、及びＮｒｏｔパラメータが利用される。
【００５５】
８０ＭＨｚ通信チャネルの異なる周波数サブバンドに対応する複数の符号化されたビットの複数のセグメントが、それぞれの複数のＢＣＣインターリーバ５２０により処理される一実施形態において、２つのＢＣＣインターリーバ３１８により用いられるパラメータＮｃｏｌ、Ｎｒｏｗ、及びＮｒｏｔは、サブバンドに対応するチャネルのために第１の通信プロトコルにより規定されたＮｃｏｌ、Ｎｒｏｗ、及びＮｒｏｔパラメータに対応する。単なる一例として、８０ＭＨｚ幅チャネルのそれぞれの２０ＭＨｚサブバンドに対応する符号化されたビットの４つのセグメントが、４つのＢＣＣインターリーバ３１８により処理される一実施形態において、４つのＢＣＣインターリーバ３１８により用いられるパラメータＮｃｏｌ、Ｎｒｏｗ、及びＮｒｏｔは、一実施形態において、第１の通信プロトコルの２０ＭＨｚのチャネルに用いられるＮｃｏｌ、Ｎｒｏｗ、及びＮｒｏｔパラメータ（例えば、ＩＥＥＥ８０２．１１ａｃ規格により８０ＭＨｚ通信チャネルに対して規定されたＮｃｏｌ、Ｎｒｏｗ、及びＮｒｏｔパラメータ）にそれぞれ対応する。
【００５６】
１６０ＭＨｚ通信チャネル用の符号化されたビットの２つのセグメントが２つのＢＣＣインターリーバ５２０により処理される一実施形態において、２つのＢＣＣインターリーバ５２０により用いられるパラメータＮｃｏｌ、Ｎｒｏｗ、及びＮｒｏｔは、一実施形態において、第１の通信プロトコルに規定されるように、８０ＭＨｚ通信チャネルに用いられるＮｃｏｌ、Ｎｒｏｗ、及びＮｒｏｔ（例えば、上述されたように規定された第１の通信プロトコルの８０ＭＨｚ通信チャネル用のＮｃｏｌ、Ｎｒｏｗ、及びＮｒｏｔパラメータ）にそれぞれ対応する。その一方で、１６０ＭＨｚチャネル用のＯＦＤＭシンボルが、複数の符号化されたビットの１つのセグメントを用いて生成される（例えば、セグメントパーサ５１８が回避される）一実施形態において、第１の通信プロトコルにより１６０ＭＨｚチャネルに対して規定される新たな（例えば、ＩＥＥＥ８０２．１１ａｃ規格に前もって規定されていない）Ｎｃｏｌ、Ｎｒｏｗ、及びＮｒｏｔパラメータが利用される。
【００５７】
図２ＢのＯＦＤＭＡデータユニット２５０などのＯＦＤＭＡデータユニット内のリソースユニットをインターリーバ５２０が処理する一実施形態において、インターリーバ５２０は、ＯＦＤＭＡデータユニット内のリソースユニットのＯＦＤＭトーン数に依存する複数のインターリーブパラメータを用いる。表１は、いくつかの実施形態において、図２Ｂのデータユニット２５０内のいくつかのＲＵサイズに対して、インターリーバ５２０により用いられる複数のインターリーブパラメータを示す。
【表１】
2019071647.tif 000005
【００５８】
表１を参照すると、いくつかの例示的な実施形態において、ＮＳＳ≦４の場合に５２個のトーンを有するリソースユニットとともに用いられるパラメータＮｒｏｔの値Ｋは、その実施形態に応じて、Ｋ＝１１、Ｋ＝１３、又はＫ＝９のうち１つである。更に表１を参照すると、ＮＳＳ＞４の場合に５２個のトーンを有するリソースユニットとともに用いられるパラメータＮｒｏｔの値Ｋは、その実施形態に応じて、Ｋ＝５、Ｋ＝６、又はＫ＝７のうち１つである。他の複数の実施形態において、５２個のトーンを有するリソースユニットとともに用いられるパラメータＮｒｏｔの値Ｋは、他の適切な値である。
【００５９】
いくつかの実施形態において、例えば、ＬＤＰＣ符号化が利用される場合（例えば、ＦＥＣエンコーダ３１２がＬＤＰＣエンコーダである場合）、ＢＣＣインターリーバ５２０は回避される、又は省略される。
【００６０】
図５を引き続き参照すると、ＢＣＣインターリーバ５２０の出力（又は、ＢＣＣインターリーバ５２０が回避される又は省略される場合には、セグメントパーサ５１８の出力）が、コンスタレーションマッパ５２２に提供される。一実施形態において、各コンスタレーションマッパ５２２は、ＯＦＤＭシンボルの異なるサブキャリア／トーンに対応するコンスタレーションポイントに、一連のビットをマッピングする。より具体的には、一実施形態において、各空間ストリーム及び各セグメントに対して、コンスタレーションマッパ５２２は、長さｌｏｇ２（Ｍ）のどのビットシーケンスもＭ個のコンスタレーションポイントの１つに移す。コンスタレーションマッパ５２２は、利用されているＭＣＳに応じて、異なる数のコンスタレーションポイントを扱う。一実施形態において、コンスタレーションマッパ５２２は、Ｍ＝２、４、１６、６４、２５６、及び１０２４を扱う直交振幅変調（ＱＡＭ）マッパである。他の複数の実施形態において、コンスタレーションマッパ５２２は、｛２、４、１６、６４、２５６、１０２４｝のセットの少なくとも２つの値から成る異なるサブセットに等しいＭに対応する異なる変調スキームを扱う。
【００６１】
一実施形態において、ＬＤＰＣ符号化が利用される場合、コンスタレーションマッパ５２２の出力は、ＬＤＰＣトーンマッパ５２６により処理される。いくつかの実施形態において、ＢＣＣ符号化が利用される場合（例えば、ＦＥＣエンコーダ５１２がＢＣＣエンコーダである場合）、ＬＤＰＣトーンマッパ５２６は回避される、又は省略される。
【００６２】
各ＬＤＰＣトーンマッパ５２６は、トーン再マッピング機能に従って、空間ストリーム及びセグメントに対応する複数のコンスタレーションポイントを並べ替える。トーン再マッピング機能は、概して、情報ビットの連続する符号化されたビット又はブロックが、ＯＦＤＭシンボルの非連続なトーン上にマッピングされるように規定されており、これにより、連続したＯＦＤＭトーンが送信中に悪影響を受ける場合に、受信機でのデータ復元を容易にしている。ＬＤＰＣトーンマッパの複数のパラメータ（例えば、「トーンマッピング距離」、又は隣接するコンスタレーションポイントがマッピングされた２つのＯＦＤＭトーンの間の距離）は、異なる実施形態で異なってよい。一実施形態において、２０ＭＨｚチャネル用に生成されているＯＦＤＭシンボルのために、ＬＤＰＣトーンマッパ５２６により用いられるトーンマッピング距離は、ＩＥＥＥ８０２．１１ａｃ規格により規定される８０ＭＨｚチャネル用のトーンマッピング距離に対応する。
【００６３】
チャネルの複数のサブバンドに対応する複数のコンスタレーションポイントの複数のセグメントが、複数のＬＤＰＣトーンマッパ５２６により処理される一実施形態において、動作する複数のＬＤＰＣトーンマッパ５２６のそれぞれにより用いられるトーンマッピング距離は、複数のサブバンドのそれぞれに対応するチャネルのために、第１の通信プロトコルにより規定されたトーンマッピング距離に対応する。従って、一実施形態において、例えば、４０ＭＨｚ帯域幅、８０ＭＨｚ帯域幅、又は１６０ＭＨｚ帯域幅の２０ＭＨｚサブバンドで動作するそれぞれのＬＤＰＣエンコーダ５２６は、第１の通信プロトコルにより規定された２０ＭＨｚ幅チャネルのトーンマッピング距離を利用する。一実施形態において、レガシの通信プロトコルにより前もって規定されていない新たなトーンマッピング距離が、少なくともＯＦＤＭトーンの数について規定され、このＯＦＤＭトーンの数は、レガシの通信プロトコルで用いられるＯＦＤＭトーンの数より大きい。例えば、一実施形態において、特定の帯域幅に対して第１の通信プロトコルにより規定されたトーンマッピング距離Ｄ１は、第１の帯域幅に対してレガシの通信プロトコル（例えば、ＩＥＥＥ８０２．１１ａｃ規格）により規定された対応するトーンマッピング距離Ｄ２のスケーリング版である。例えば、一実施形態において、Ｄ１は少なくともおよそＮ×Ｄ２であり、ここでＮはトーン間隔縮小係数である。
【００６４】
ＬＤＰＣトーンマッパ５２６が、図２ＢのＯＦＤＭＡデータユニット２５０などのＯＦＤＭＡデータユニットに対応する複数のサブチャネルブロックを処理する一実施形態において、ＬＤＰＣトーンマッパ５２６は、ＯＦＤＭＡデータユニット内のリソースユニットのサイズ（例えば、ＯＦＤＭトーン数）に依存するトーンマッピング距離Ｄを用いる。更に、いくつかの実施形態において、トーンマッピングは、いくつかのリソースユニットサイズでは実行されない（例えば、ＬＤＰＣトーンマッパ５２６は回避される、又は省略される）。
【００６５】
一実施形態において、２６トーンのＲＵは、２４個のデータトーン及び２つのパイロットトーンを含む。他の複数の実施形態において、２６トーンのＲＵは、他の適切な数のデータトーン及びパイロットトーンを含む。一実施形態において、トーンマッピングは、２６トーンのＲＵに実行されない。別の実施形態において、トーンマッピングはＮＳＳ≦４の場合に２６トーンのＲＵに実行されず、トーンマッピングはＮＳＳ＞４の場合に２６トーンのＲＵに実行され、トーンマッピング距離は｛４、６、８｝のセットから実施形態に応じて選択される。別の実施形態において、ＮＳＳ＞４の場合に２６トーンのＲＵ用の別の適切なトーンマッピング距離Ｄが用いられる。
【００６６】
一実施形態において、５２トーンのＲＵは、４８個のデータトーン及び４つのパイロットトーンを含む。他の複数の実施形態において、５２トーンのＲＵは、他の適切な数のデータトーン及びパイロットトーンを含む。一実施形態において、トーンマッピングは、５２トーンのＲＵに実行されない。別の実施形態において、トーンマッピングはＮＳＳ≦４の場合に５２トーンのＲＵに実行されず、トーンマッピングはＮＳＳ＞４の場合に５２トーンのＲＵに実行され、トーンマッピング距離Ｄは｛６、８、１２｝のセットから実施形態に応じて選択される。別の実施形態において、ＮＳＳ＞４の場合に５２トーンのＲＵ用の別の適切なトーンマッピング距離Ｄが用いられる。いくつかの実施形態において、用いられている空間ストリーム又は時空間ストリームの数ＮＳＳに関わらず、トーンマッピングが５２トーンのＲＵに実行される。用いられている空間ストリーム又は時空間ストリームの数ＮＳＳに関わらず、トーンマッピングが５２トーンのＲＵに実行されるいくつかの実施形態において、トーンマッピング距離Ｄは｛６、８、１２｝のセットから選択される。用いられている空間ストリーム又は時空間ストリームの数ＮＳＳに関わらず、トーンマッピングが５２トーンのＲＵに実行される別の実施形態において、別の適切なトーンマッピング距離Ｄが用いられる。
【００６７】
一実施形態において、１０６トーンのＲＵは、１０２個のデータトーン及び４つのパイロットトーンを含む。他の複数の実施形態において、１０６トーンのＲＵは、他の適切な数のデータトーン及びパイロットトーンを含む。一実施形態において、トーンマッピングは、１０６トーンのＲＵに実行されない。別の実施形態において、トーンマッピングはＮＳＳ≦４の場合に１０６トーンのＲＵに実行されず、トーンマッピングはＮＳＳ＞４の場合に１０６トーンのＲＵに実行され、トーンマッピング距離Ｄは｛６、１７、３４｝のセットから実施形態に応じて選択される。別の実施形態において、ＮＳＳ＞４の場合に１０６トーンのＲＵ用の別の適切なトーンマッピング距離Ｄが用いられる。いくつかの実施形態において、用いられている空間ストリーム又は時空間ストリームの数ＮＳＳに関わらず、トーンマッピングが１０６トーンのＲＵに実行される。用いられている空間ストリーム又は時空間ストリームの数ＮＳＳに関わらず、トーンマッピングが１０６トーンのＲＵに実行されるいくつかの実施形態において、１０６トーンのＲＵのトーンマッピング距離Ｄは｛６、１７、３４｝のセットから選択される。用いられている空間ストリーム又は時空間ストリームの数ＮＳＳに関わらず、トーンマッピングが１０６トーンのＲＵに実行される別の実施形態において、別の適切なトーンマッピング距離Ｄが用いられる。
【００６８】
一実施形態において、２４２トーンのＲＵは、２３４個のデータトーン及び８つのパイロットトーンを含む。他の複数の実施形態において、２４２トーンのＲＵは、他の適切な数のデータトーン及びパイロットトーンを含む。一実施形態において、用いられている空間ストリーム又は時空間ストリームの数ＮＳＳに関わらず、トーンマッピングが２４２トーンのＲＵに実行され、トーン間隔距離Ｄは、８０ＭＨｚ帯域幅に対してＩＥＥＥ８０２．１１ａｃ規格により規定されたトーン間隔距離に対応している（すなわち、Ｄ＝９）。他の複数の実施形態において、用いられている空間ストリーム又は時空間ストリームの数ＮＳＳに関わらず、トーンマッピングが２４２トーンのＲＵに実行され、トーン間隔距離Ｄは、｛１８、２６、３６、３９、５２、７８｝のセットから選択される。用いられている空間ストリーム又は時空間ストリームの数ＮＳＳに関わらず、トーンマッピングが２４２トーンのＲＵに実行される別の実施形態において、別の適切なトーンマッピング距離Ｄが用いられる。
【００６９】
一実施形態において、４８４トーンのＲＵは、４６８個のデータトーン及び１６個のパイロットトーンを含む。他の複数の実施形態において、４８４トーンのＲＵは、他の適切な数のデータトーン及びパイロットトーンを含む。一実施形態において、用いられている空間ストリーム又は時空間ストリームの数ＮＳＳに関わらず、トーンマッピングが４８４トーンのＲＵに実行される。一実施形態において、４８４個のトーンは２つのセグメントを用いて生成され、トーン間隔距離は、８０ＭＨｚ帯域幅に対してＩＥＥＥ８０２．１１ａｃ規格により規定され、複数のセグメントのそれぞれに用いられるトーン間隔距離Ｄに対応する（すなわち、Ｄ＝９）。別の実施形態において、４８４個のトーンは１つのセグメントを用いて生成される。いくつかのそのような実施形態において、用いられている空間ストリーム又は時空間ストリームの数ＮＳＳに関わらず、トーンマッピングが実行され、トーンマッピング距離Ｄは、｛９、１８、２６、３６、３９、５２、７８｝のセットから選択される。４８４個のトーンが１つのセグメントとして生成される別の実施形態において、別の適切なトーンマッピング距離Ｄが用いられる。
【００７０】
一実施形態において、９９６トーンのＲＵは、９８０個のデータトーン及び１６個のパイロットトーンを含む。他の複数の実施形態において、９９６トーンのＲＵは、他の適切な数のデータトーン及びパイロットトーンを含む。様々な実施形態において、用いられている空間ストリーム又は時空間ストリームの数ＮＳＳに関わらず、トーンマッピングが９９６トーンのＲＵに実行され、トーンマッピング距離Ｄは、｛３５、４９、７０、９８｝のセットから選択される。別の実施形態において、別の適切なトーンマッピング距離Ｄが用いられる。
【００７１】
それぞれの空間ストリームに対応する複数のＬＤＰＣトーンマッパ５２６の複数の出力（あるいは、ＬＤＰＣトーンマッパ５２６が回避される、又は省略される場合は、それぞれの空間ストリームに対応する複数のコンスタレーションマッパ５２２の複数の出力）が、それぞれのセグメントデパーサ５２８に提供される。各セグメントデパーサ５２８は、空間ストリームに対応する複数のＬＤＰＣトーンマッパ５２６（あるいは、ＬＤＰＣトーンマッパ５２６が回避される、又は省略される場合は、コンスタレーションマッパ５２２）の複数の出力をマージする。
【００７２】
時空間ブロック符号化（ＳＴＢＣ）ユニット５３０は、１つ又は複数の空間ストリームに対応する複数のコンスタレーションポイントを受信し、複数の空間ストリームを時空間ストリームの数（ＮＳＴＳ）に広げる。いくつかの実施形態において、ＳＴＢＣユニット５３０は省略される。巡回シフトダイバーシティ（ＣＳＤ）ユニット５３２が、ＳＴＢＣユニット５３０に連結されている。ＣＳＤユニット５３２は、意図しないビームフォーミングを防止すべく、（１つより多い時空間ストリームがある場合）複数の時空間ストリームのうち１つを除いて全てに巡回シフトを挿入する。説明しやすくするために、複数のＣＳＤユニット５３２への複数の入力は、ＳＴＢＣユニット５３０が省略された複数の実施形態においても時空間ストリームと呼ばれる。
【００７３】
空間マッピングユニット５３６は、ＮＳＴＳ個の時空間ストリームをＮＴＸ個の送信チェーンにマッピングする。様々な実施形態において、空間マッピングは、１）ダイレクトマッピング：各時空間ストリームの複数のコンスタレーションポイントが複数の送信チェーン上に直接マッピングされる（すなわち、１対１のマッピング）、２）空間拡張：全ての時空間ストリームの複数のコンスタレーションポイントの複数のベクトルが行列積によって拡張され、複数の送信チェーンへの複数の入力を生成する、３）ビームフォーミング：全ての時空間ストリームのコンスタレーションポイントの各ベクトルが複数のステアリングベクトルの行列を乗じて、複数の送信チェーンへの複数の入力を生成する、のうち１つ又は複数を含む。空間マッピングユニット５３６の各出力は１つの送信チェーンに対応し、空間マッピングユニット５３６の各出力は、複数のコンスタレーションポイントから成るブロックを時間ドメイン信号に変換するＩＤＦＴ計算ユニット５４０（例えば、逆高速フーリエ変換（ＩＦＦＴ）計算ユニット）により処理される。ＰＨＹ処理ユニット５００がＯＦＤＭＡデータユニットの複数の受信機に対応する複数の処理経路５０１を含む一実施形態において、各ＩＤＦＴ計算ユニット５４０は、複数の処理経路５０１の複数の出力に対応する複数の入力を含む。この実施形態において、各ＩＤＦＴ計算ユニット５４０は、全ての受信機に対してＯＦＤＭＡデータユニットによってＩＤＦＴを一緒に実行する。
【００７４】
一実施形態において、複数のＩＤＦＴユニット５４０の複数の出力は複数のＧＩ挿入・ウィンドウユニット５４４に提供され、複数のＧＩ挿入・ウィンドウユニット５４４は、ＯＦＤＭシンボルの循環拡張であるガードインターバル（ＧＩ）部分を複数のＯＦＤＭシンボルの先頭に追加し、複数のＯＦＤＭシンボルの複数の端を滑らかにしてスペクトル遅延を増大させる。複数のＧＩ挿入・ウィンドウユニット５４４の複数の出力は、信号をアナログ信号に変換し、送信のために信号をＲＦ周波数にアップコンバートする複数のアナログ・無線周波数（ＲＦ）ユニット５４８に提供される。様々な実施形態及び／又はシナリオにおいて、信号は、２０ＭＨｚ、４０ＭＨｚ、８０ＭＨｚ、又は１６０ＭＨｚ帯域幅のチャネル（例えば、一実施形態において、ユニット５４０で、それぞれ２５６、５１２、１０２４、２０４８ポイントのＩＤＦＴに対応し、ＩＤＦＴサイズに関わらず一定のクロックレートを利用する）で送信される。他の複数の実施形態において、他の適切なチャネル帯域幅（及び／又はＩＤＦＴサイズ）が利用される。
【００７５】
様々な実施形態において、ＰＨＹ処理ユニット５００は、様々な適切な数の送信チェーン（例えば、１、２、３、４、５、６、７など）を含む。更に、いくつかのシナリオにおいて、ＰＨＹ処理ユニット５００は、全ての送信チェーンを利用しない。説明のための例に過ぎないが、ＰＨＹ処理ユニット５００が４つの送信チェーンを含む一実施形態において、例えば、２つの空間ストリームだけが利用されている場合、ＰＨＹ処理ユニット５００は、２つの送信チェーンだけ、又は３つの送信チェーンだけを利用してよい。
【００７６】
ＰＨＹ処理ユニット５００において、各送信チェーンは、通信チャネル全体に広がる（例えば、２０ＭＨｚ、４０ＭＨｚ、８０ＭＨｚ、１６０ＭＨｚなどに広がる）送信信号を生成するよう構成されている。しかし他の複数の実施形態において、ネットワークインタフェースデバイス（例えば、ネットワークインタフェースデバイス１６、及び／又はネットワークインタフェースデバイス２７）は、通信チャネルの複数の異なる部分に対応する複数の無線周波数（ＲＦ）部分を含む。例えば、複数の部分が用いられ、説明のための例に過ぎないが、ネットワークインタフェースデバイスは、４０ＭＨｚ幅通信チャネルの第１の２０ＭＨｚ幅部分に対応する第１のＲＦ部分、及び４０ＭＨｚ幅通信チャネルの第２の２０ＭＨｚ幅部分に対応する第２のＲＦ部分を含む。単なる別の例として、別の実施形態において、ネットワークインタフェースデバイスは、１６０ＭＨｚ幅通信チャネルの第１の８０ＭＨｚ幅部分に対応する第１のＲＦ部分、及び１６０ＭＨｚ幅通信チャネルの第２の8０ＭＨｚ幅部分に対応する第２のＲＦ部分を含む。
【００７７】
図６は、一実施形態に従って、図２Ａのデータユニット２００又は図２Ｂのデータユニット２５０など、第１の通信プロトコルに準拠するデータユニットを生成するよう構成された例示的なＰＨＹ処理ユニット６００の送信部のブロック図である。図１を参照すると、１つの実施形態において、ＡＰ１４のＰＨＹ処理ユニット２０及びクライアントステーション２５−１のＰＨＹ処理ユニット２９はそれぞれ、ＰＨＹ処理ユニット６００に類似する、又はこれと同一である。ＰＨＹ処理ユニット６００は、図５のＰＨＹ処理ユニット５００に類似しており、ＰＨＹ処理ユニット５００の同一の要素のうち多くを含む。ＰＨＹ処理ユニット５００と同じ番号の要素のうち少なくともいくつかは、単に簡潔にするために詳細に論じられることはない。
【００７８】
一実施形態において、ＰＨＹ処理ユニット６００は、セグメントパーサ４０２により生成された複数のセグメントの各セグメントに対応する、従って、通信チャネルの各周波数サブバンドに対応するそれぞれの処理ユニット５０８を含む。例えば、第１の処理ユニット５０８は、通信チャネルの第１の周波数サブバンドに対応し、第２の処理ユニットは、通信チャネルの第２の周波数サブバンドに対応する。更に、ＰＨＹ処理ユニット６００は、セグメントデパーサを利用しない。
【００７９】
単なる一例として、４０ＭＨｚの幅を有する通信チャネルに対応する送信モードにおいて、第１の処理ユニット６０２ａは、第１の２０ＭＨｚ周波数サブバンドに対応してよく、第２の処理ユニット６０２ｂは、通信チャネルの第２の２０ＭＨｚ周波数サブバンドに対応してよい。単なる別の例として、１６０ＭＨｚの幅を有する通信チャネルに対応する送信モードにおいて、第１の処理ユニット６０２ａは、第１の８０ＭＨｚ周波数サブバンドに対応してよく、第２の処理ユニット６０２ｂは、通信チャネルの第２の８０ＭＨｚ周波数サブバンドに対応してよい。いくつかの実施形態及び／又はシナリオにおいて、第１の周波数サブバンドは、第２の周波数サブバンドと隣接している。しかし、他の複数の実施形態及び／又はシナリオにおいて、第１の周波数サブバンドは、第２の周波数サブバンドと隣接していない。例えば、一実施形態において、第１の周波数サブバンドと第２の周波数サブバンドとの間の周波数にギャップが存在してよく、通信チャネルは、第１の周波数サブバンドの帯域幅及び第２の周波数サブバンドの帯域幅の合計に等しい累積帯域幅を有する。
【００８０】
第１の処理ユニット６０２ａは、各空間ストリームに対して、それぞれのＢＣＣインターリーバ５２０（ＢＣＣインターリーバ５２０が省略されていない場合）、それぞれのコンスタレーションマッパ５２２、及びそれぞれのＬＤＰＣトーンマッパ５２６（ＬＤＰＣトーンマッパ５２６が省略されていない場合）を含む。第１の処理ユニット６０２ａは、ＳＴＢＣユニット５３０、ＣＳＤユニット５３２、及び空間マッピングユニット５３６を更に含む。空間マッピングユニット５３６の複数の出力を参照すると、第１の処理ユニット６０２ａの空間マッピングユニット５３６の各変調データ出力は、それぞれの送信チャネルに対応し、通信チャネルの１つの部分にも対応する。単に説明のための例として、１６０ＭＨｚ通信チャネルが利用される一実施形態及び／又は送信モードにおいて、各空間ストリームに対応する第１の送信チェーンに提供される変調データ出力は、１６０ＭＨｚ通信チャネルの第１の８０ＭＨｚ部分に対応する。上記の説明のための例を続けると、一実施形態において、各空間ストリームに対応する第２の送信チェーンに提供される変調データ出力は、１６０ＭＨｚ通信チャネルの第２の８０ＭＨｚ部分に対応する。
【００８１】
各ＩＤＦＴ計算ユニット５４０により処理される複数のコンスタレーションポイントから成るブロックは、通信チャネルのそれぞれの部分に対応する全てのサブキャリアに対応する。従って、例示的な実施形態及び／又は１６０ＭＨｚ通信チャネルが利用される送信モードにおいて、各ＩＤＦＴ計算ユニット５４０は、通信チャネルの８０ＭＨｚ帯域幅部分の１０２４個のサブキャリアに対応する１０２４ポイントのＩＤＦＴを実行する。一実施形態において、各ブロック５４８により出力される信号は、通信チャネルのそれぞれの帯域幅部分だけ（例えば、１６０ＭＨｚ幅通信チャネルのそれぞれの８０ＭＨｚ幅部分）に広がる。
【００８２】
図７〜図９は、いくつかの実施形態において、第１の通信プロトコルに従って生成されるＯＦＤＭシンボルに対応するトーンマップの図である。いくつかの実施形態において、ＰＨＹユニット２０（図１）は、図７〜図９の複数のＯＦＤＭシンボルのうち１つ、又は別の適切なＯＦＤＭシンボルなどのＯＦＤＭシンボルを生成するよう構成されている。いくつかの実施形態において、ＰＨＹユニット２０（図１）は、チャネル状況、送信されるＯＦＤＭシンボルを受信するデバイスの能力などに応じて、図７〜図９の複数のＯＦＤＭシンボル、又は他の適切なＯＦＤＭシンボルなどの異なるＯＦＤＭシンボルを生成するよう構成されている。
【００８３】
図７は、一実施形態による、２０ＭＨｚ幅チャネルに対応するＯＦＤＭシンボル７００のトーンマップの図である。一実施形態において、ＯＦＤＭシンボル７００は、ＩＥＥＥ８０２．１１ａｃ規格により規定されたトーン間隔と比較して、４倍に縮小されたトーン間隔（１／４トーン間隔）を有する２５６個のＯＦＤＭトーンを含む。ＯＦＤＭシンボル７００は、ＩＥＥＥ８０２．１１ａｃ規格において８０ＭＨｚ通信チャネル用に規定されたのと同じフォーマットを有する。
【００８４】
一実施形態において、ＯＦＤＭシンボル７００の２５６個のトーンは、−１２８から＋１２７まで索引付けされている。２５６個のトーンは、１１個のガードトーン、３つの直流（ＤＣ）トーン、複数のデータトーン、及び複数のパイロットトーンを含む。一実施形態において、６つの最下位周波数トーン及び５つの最上位周波数トーンはガードトーンであり、これらはフィルタの立ち上がり（ｒａｍｐ  ｕｐ）及び立ち下がり（ｒａｍｐ  ｄｏｗｎ）のために提供されている。一実施形態において、第１の通信プロトコルに準拠するＯＦＤＭシンボルに含まれるガードトーンの数は、対応する帯域幅に対してＩＥＥＥ８０２．１１ａｃ規格により規定されたガードトーンの数に対してスケーリングされ、その結果、ＩＥＥＥ８０２．１１ａｃ規格により規定された対応するガードバンドと少なくとも実質的に同じ周波数のガードバンドが保持される。例えば、第１の通信プロトコルに準拠するＯＦＤＭシンボルの各帯域端におけるガードトーンの数は、ＩＥＥＥ８０２．１１ａｃ規格により規定されたガードトーンの数に対応する。
【００８５】
別の実施形態において、ＯＦＤＭシンボル７００に含まれるガードトーンの数は、ＩＥＥＥ８０２．１１ａｃ規格により８０ＭＨｚ帯域幅に対して規定されたガードトーンの数より大きい。例えば、ＯＦＤＭシンボルのガードトーンの数は、ＩＥＥＥ８０２．１１ａｃ規格に対してトーン間隔が１／Ｎ倍に縮小される場合、ＩＥＥＥ８０２．１１ａｃ規格により規定されたガードトーンの数に対して、スケーリング係数Ｎでスケーリングされる。従って、一実施形態において、ＩＥＥＥ８０２．１１ａｃ規格により規定されたトーン間隔と比較すると、例えば、１／４トーン間隔を有するＯＦＤＭシンボルでは、ＯＦＤＭシンボルの帯域端におけるガードトーンの数は、ＩＥＥＥ８０２．１１ａｃ規格により規定された、対応する帯域端におけるガードトーンの数に４を乗じたものに対応する。従って、この実施形態において、下位帯域端及び上位帯域端におけるガードトーンの数は、［６、５］×４に対応する。別の実施形態において、各帯域端におけるガードトーンの数は、Ｎより小さい係数でスケーリングされる。例えば、いくつかの実施形態において、ＩＥＥＥ８０２．１１ａｃ規格に準拠するＯＦＤＭシンボルを送信／受信するのに用いられるフィルタリングと比較して、より厳しいフィルタリングが、第１の通信プロトコルに準拠するＯＦＤＭシンボルを送信／受信するのに用いられる。一般的に言って、様々な実施形態において、第１の通信プロトコルに準拠するＯＦＤＭシンボルのガードトーンの数は、［６、５］×Ｎより小さい又はこれと等しい。より具体的な例として、第１の通信プロトコルに準拠するＯＦＤＭシンボルの左の帯域端（ＮＧ  ｌｅｆｔ）におけるガードトーンの数は、２≦ＮＧ  ｌｅｆｔ≦６×Ｎの範囲内にあり、第１の通信プロトコルに準拠するＯＦＤＭシンボルの右の帯域端（ＮＧ  ｒｉｇｈｔ）におけるガードトーンの数は、３≦ＮＧ  ｒｉｇｈｔ≦５×Ｎの範囲内にある。更に、一実施形態において、第１の通信プロトコルに準拠するＯＦＤＭシンボルのガードトーンの数、ＮＧ  ｌｅｆｔ及びＮＧ  ｒｉｇｈｔは、ＮＧ  ｒｉｇｈｔ＝ＮＧ  ｌｅｆｔ＋１が満たされる条件になっている。
【００８６】
改めて図７を参照すると、ＯＦＤＭシンボル７００の索引−１、０、及び＋１のトーンはＤＣトーンであり、これらは無線周波数の干渉を軽減するために提供されている。図７の実施形態において、ＯＦＤＭシンボル７００に含まれるＤＣトーンの数（すなわち３つのＤＣトーン）は、２０ＭＨｚチャネルに対してＩＥＥＥ８０２．１１ａｃ規格により規定されたＤＣトーンの数に対応する。一実施形態において、ＩＥＥＥ８０２．１１ａｃ規格により規定されたトーン間隔と比較してＯＦＤＭシンボル７００のトーン間隔がより小さいことに起因し、第１の通信プロトコルは、送信機−受信機（Ｔｘ−Ｒｘ）最大許容周波数オフセットを規定する。このオフセットは、ＩＥＥＥ８０２．１１ａｃ規格で規定されたＴｘ−Ｒｘ許容周波数オフセットより小さい。例えば、ＩＥＥＥ８０２．１１ａｃ規格により規定されたＴｘ−Ｒｘ最大許容周波数オフセットは、±４０百万分率（ｐｐｍ）であるが、第１の通信プロトコルは、例えば、±２０百万分率（ｐｐｍ）など、より小さいＴｘ−Ｒｘ最大許容周波数オフセットを規定する。更に又は代替的に、いくつかの実施形態において、ＯＦＤＭシンボル７００は、３つのＤＣトーンより大きい数のＤＣトーンを含む。例えば、一実施形態において、ＯＦＤＭシンボル７００は５つのＤＣトーンを含む。他の複数の実施形態において、ＯＦＤＭシンボル７００は、他の適切な数（例えば、１、７、９、１１など）のＤＣトーンを含む。ＯＦＤＭシンボル７００において、ＤＣトーンの数をより大きくする（例えば、５つのＤＣトーン）ことで、第１の通信プロトコルは、少なくともＩＥＥＥ８０２．１１ａｃ規格により規定されたものと実質的に同一のＴｘ−Ｒｘ最大許容周波数オフセット要件（すなわち、＋／−４０百万分率（ｐｐｍ））を保持することが可能となり、また１／４トーン間隔などの縮小トーン間隔を利用することも可能である。
【００８７】
図７を引き続き参照すると、図示された実施形態において、ＯＦＤＭシンボル７００は、トーン索引｛±１１７、±８９、±７５、±３９、±１１｝に１０個のパイロットトーンを含む。一実施形態において、パイロットトーンは、例えば、周波数オフセット推定に用いられる。この実施形態において、ＯＦＤＭ７００のパイロットトーンの数及び位置は、８０ＭＨｚ帯域幅に対してＩＥＥＥ８０２．１１ａｃ規格により規定されたパイロットトーンの数及び位置に対応する。別の実施形態において、第１の通信プロトコルに準拠するＯＦＤＭシンボルのパイロットトーンの数は、対応する帯域幅に対してＩＥＥＥ８０２．１１ａｃ規格で規定されたパイロットの数に対応する。従って、一実施形態において、特定の帯域幅に対応し且つ第１の通信プロトコルに準拠するＯＦＤＭシンボルは、特定の帯域幅に対応し且つＩＥＥＥ８０２．１１ａｃ規格に準拠するＯＦＤＭシンボルと比較してより大きい数のＯＦＤＭトーンを含むが、第１の通信プロトコルに準拠するＯＦＤＭシンボルは、同じ帯域幅に対応し且つＩＥＥＥ８０２．１１ａｃ規格に準拠するＯＦＤＭシンボルと同じ数のパイロットトーンを含む。一実施形態において、パイロットトーンの位置は、トーン間隔がＩＥＥＥ８０２．１１ａｃ規格に対して１／Ｎ倍に縮小された場合、ＩＥＥＥ８０２．１１ａｃ規格の対応する帯域幅に対して規定され、スケーリング係数Ｎでスケーリングされたパイロットトーン位置に対応する。単なる一例として、別の実施形態において、２０ＭＨｚ幅チャネルに対応し且つ１／４トーン間隔を有する第１の通信プロトコルに準拠するＯＦＤＭシンボル７００は、索引｛±２８、±８４｝に位置する４つのパイロットトーンを含む。単なる別の例として、一実施形態において、４０ＭＨｚ幅チャネルに対応し且つ１／４トーン間隔を有する第１の通信プロトコルに準拠するＯＦＤＭシンボルは、５１２個のＯＦＤＭトーンを含み、そのうち６つトーンが、索引｛±４４、±１００、±２１２｝に位置するパイロットトーンである。
【００８８】
更に図７を参照すると、一実施形態において、ＤＣトーン、ガードトーン、又はパイロットトーンとして用いられていないトーンマップ７００のＯＦＤＭトーンは、データトーンとして用いられている。いくつかの実施形態において、データトーンとして用いられるＯＦＤＭトーンの数は、データトーンの数が３及び６で割り切れるように選択されている。そのような複数の実施形態において、ＯＦＤＭシンボルは、第１の通信プロトコルにより規定された全ての又は大部分の変調・符号化スキームに対して、ＯＦＤＭシンボル当たりの整数のデータビット数（ＮＤＢＰＳ）を含む。一実施形態において、データビットを符号化するのにＢＣＣ符号化が用いられる場合、整数のＮＤＢＰＳが必要とされる、又は望まれる。その一方で、一実施形態において、ＬＤＰＣ符号化が用いられる場合、整数のＮＤＢＰＳは必要とされず、任意の適切な数のＯＦＤＭトーンがデータトーンとして用いられ得る。
【００８９】
いくつかの実施形態において、第１の通信プロトコルは、少なくともＢＣＣ符号化が利用されている場合、整数のＮＤＢＰＳをもたらさないＭＣＳを対象から除外する。別の実施形態において、第１の通信プロトコルは、１つ又は複数のＢＣＣエンコーダを用いて、又はＬＤＰＣエンコーダを用いて非整数のＮＤＢＰＳが符号化されることを可能にする適切な技術を利用する。１つ又は複数ＢＣＣエンコーダを用いて非整数のＮＤＢＰＳを符号化するためのいくつかの実施形態において用いられるいくつかの例示的な技術は、例えば、２０１１年９月２７日に出願された「通信システムのパース及び符号化方法（Ｐａｒｓｉｎｇ  ａｎｄ  Ｅｎｃｏｄｉｎｇ  Ｍｅｔｈｏｄｓ  ｉｎ  ａ  Ｃｏｍｍｕｎｉｃａｔｉｏｎ  Ｓｙｓｔｅｍ）」という名称の米国特許出願第１３／２４６，５７７号に説明されており、これは、その全体の参照により本明細書に組み込まれる。ＬＤＰＣエンコーダを用いて非整数のＮＤＢＰＳを符号化するためのいくつかの実施形態において用いられるいくつかの例示的な技術は、例えば、２０１２年４月４日に出願された「通信システムのデータ符号化方法（Ｄａｔａ  Ｅｎｃｏｄｉｎｇ  Ｍｅｔｈｏｄｓ  ｉｎ  ａ  Ｃｏｍｍｕｎｉｃａｔｉｏｎ  Ｓｙｓｔｅｍ）」という名称の米国特許出願第１３／４３９，６２３号に説明されており、これは、その全体の参照により本明細書に組み込まれる。一実施形態において、ＢＣＣ符号化は第１の通信プロトコルにおいて用いられず、ＬＤＰＣ符号化だけが認められている。
【００９０】
図８は、一実施形態による、４０ＭＨｚ幅チャネルに対応するＯＦＤＭシンボル８００のトーンマップの図である。一実施形態において、ＯＦＤＭシンボル８００は、−２５６から＋２５５まで索引付けされた５１２個のトーンを含む。５１２個のトーンは、ガードトーン、ＤＣトーン、データトーン、及びパイロットトーンを含む。１２個の最下位周波数トーン、及び１１個の最上位周波数トーンはガードトーンである。−１から＋１まで索引付けされた３つのトーンはＤＣトーンである。ＯＦＤＭシンボル８００は、４８６個のデータ／パイロットトーンを含み、そのうち６つのトーンが、４０ＭＨｚ幅チャネルに対してＩＥＥＥ８０２．１１ａｃ規格により規定されたパイロットトーンである。図示された実施形態において、パイロットトーン位置は、４０ＭＨｚ幅チャネルに対してＩＥＥＥ８０２．１１ａｃ規格により規定され、４倍にスケーリングされたパイロットトーン位置に対応する。具体的には、図示された実施形態において、パイロットトーンは、索引｛±４４、±１００、±２１２｝に位置する。ＯＦＤＭシンボル８００は４８０個のデータトーンを含む。従って、データトーンの数は、３、４、及び６で割り切れる。結果として、一実施形態において、第１の通信プロトコルにより規定された全ての又は大部分の変調・符号化スキームに対して、整数のＮＤＢＰＳという要件が満たされる。ＩＥＥＥ８０２．１１ａｃ規格に従った４０ＭＨｚ幅チャネルのデータトーン効率が、およそ８４．３８％（１０８個のデータトーン／１２８個の合計トーン）であるのに対して、図示された実施形態において、ＯＦＤＭシンボル８００のデータトーン効率は、およそ９３．７５％（４８０個のデータトーン／５１２個の合計トーン）である。
【００９１】
単なる別の例として、一実施形態において、８０ＭＨｚに対応するＯＦＤＭシンボルは、５１２のＩＤＦＴサイズに対応し、５１２個のトーンを含む。従って、この実施形態において、ＯＦＤＭシンボルは、ＩＥＥＥ８０２．１１ａｃ規格により規定されたトーン間隔に対して１／２トーン間隔を利用する。−５１２から５１１まで索引付けされた５１２個のトーンは、ガードトーン、ＤＣトーン、データトーン、及びパイロットトーンを含む。１１個の最下位周波数トーン、及び１２個の最上位周波数トーンはガードトーンである。−１から＋１まで索引付けされた３つのトーンはＤＣトーンである。ＯＦＤＭシンボルは、８０ＭＨｚ幅チャネルに対してＩＥＥＥ８０２．１１ａｃ規格により規定されるように、８つのパイロットトーンを含む。一実施形態において、パイロットトーン位置は、８０ＭＨｚ幅チャネルに対してＩＥＥＥ８０２．１１ａｃ規格により規定され、２倍にスケーリングされたパイロットトーン位置に対応する。具体的には、一実施形態において、パイロットトーンは、索引｛±２２、±７８、±１５０、±２０６｝に位置する。ＯＦＤＭシンボルは４８０個のデータトーンを含む。ＩＥＥＥ８０２．１１ａｃ規格に従った８０ＭＨｚ幅チャネルのデータトーン効率が、およそ９１．４１％（２３４個のデータトーン／２５６個の合計トーン）であるのに対して、一実施形態において、８０ＭＨｚに対応し、５１２のＩＤＦＴサイズに対応し、５１２個のトーンを含むもののデータトーン効率は、およそ９３．７５％（４８０個のデータトーン／５１２個の合計トーン）である。
【００９２】
図９は、一実施形態による、８０ＭＨｚ幅チャネルに対応するＯＦＤＭシンボル９００のトーンマップの図である。一実施形態において、ＯＦＤＭシンボル９００は、−５１２から＋５１１まで索引付けされた１０２４個のトーンを含む。１０２４個のトーンは、ガードトーン、ＤＣトーン、データトーン、及びパイロットトーンを含む。１２個の最下位周波数トーン、及び１１個の最上位周波数トーンはガードトーンである。−１から＋１まで索引付けされた３つのトーンはＤＣトーンである。ＯＦＤＭシンボル９００は、９９８個のデータ／パイロットトーンを含み、そのうち８つのトーンが、８０ＭＨｚ幅チャネルに対してＩＥＥＥ８０２．１１ａｃ規格により規定されたパイロットトーンである。図示された実施形態において、パイロットトーン位置は、８０ＭＨｚ幅チャネルに対してＩＥＥＥ８０２．１１ａｃ規格により規定され、４倍にスケーリングされたパイロットトーン位置に対応する。具体的には、図示された実施形態において、パイロットトーンは、索引｛±４４、±１５６、±３００、±４１２｝に位置する。ＯＦＤＭシンボル９００は９９０個のデータトーンを含む。従って、この実施形態において、データトーンの数は３及び６で割り切れる。結果として、一実施形態において、第１の通信プロトコルにより規定された全ての又は大部分の変調・符号化スキームに対して、整数のＮＤＢＰＳという要件が満たされる。ＩＥＥＥ８０２．１１ａｃ規格に従った８０ＭＨｚ幅チャネルのデータトーン効率が、およそ９１．４１％（２３４個のデータトーン／２５６個の合計トーン）であるのに対して、図示された実施形態において、ＯＦＤＭシンボル９００のデータトーン効率は、およそ９６．６８％（９９０個のデータトーン／１０２４個の合計トーン）である。
【００９３】
いくつかの実施形態において、４０ＭＨｚチャネルのＯＦＤＭシンボルは、２０ＭＨｚのＯＦＤＭシンボルを２つ連結したものに対応する。例えば、一実施形態によれば、４０ＭＨｚ幅チャネルのＯＦＤＭシンボルは、５１２のＩＤＦＴサイズ（又は１２８のＩＤＦＴが２つ）に対応する。一実施形態において、４０ＭＨｚ幅チャネルのＯＦＤＭシンボルは、図７の２０ＭＨｚのＯＦＤＭシンボル７００を２つ連結したものに対応する。同様に、例示的な実施形態において、１６０ＭＨｚ幅チャネルのＯＦＤＭシンボルは、８０ＭＨｚのＯＦＤＭシンボルを２つ連結したものに対応する。例えば、例示的な実施形態において、１６０ＭＨｚ幅チャネルのＯＦＤＭシンボルは、図９の８０ＭＨｚのＯＦＤＭシンボル９００を２つ連結したものに対応する。代替的に、別の実施形態において、１６０ＭＨｚ幅チャネルに対応するＯＦＤＭシンボルが、符号化されたビットの１つのセグメント、及び２０４８のＩＤＦＴサイズ（１／２トーン間隔を利用するＯＦＤＭシンボルを使用）又は１０２４のＩＤＦＴサイズ（１／２トーン間隔を利用するＯＦＤＭシンボルを使用）を用いて生成される。一実施形態において、１６０ＭＨｚ幅チャネルに対応し、符号化されたビットの１つのセグメントを用いて生成されるＯＦＤＭシンボルは、ガードトーン、ＤＣトーン、及びパイロットトーンを含む。一実施形態において、１６０ＭＨｚ幅チャネルに対応し、第１の通信プロトコルの１つのセグメントフォーマットに準拠するＯＦＤＭシンボルは、ＩＥＥＥ８０２．１１ａｃ規格に準拠する１６０ＭＨｚのＯＦＤＭシンボルと比較して、より少ないパイロットトーンを含む。例えば、１６０ＭＨｚ幅チャネルに対応し、第１の通信プロトコルの１つのセグメントフォーマットに準拠するＯＦＤＭシンボルは、１６０ＭＨｚ帯域幅全体に少なくともほぼ均等に間隔を空けて配置された１０個のパイロットトーンを含む。一実施形態において、１６０ＭＨｚ幅チャネルに対して第１の通信プロトコルにより規定されたパイロットトーン位置は、４で割り切れる。しかし別の実施形態において、１６０ＭＨｚ幅チャネルに対して第１の通信プロトコルにより規定されたパイロットトーン位置は、必ずしも４で割り切れるわけではない。
【００９４】
単なる一例として、一実施形態において、１６０ＭＨｚ幅チャネル、及び２０４８のＩＤＦＴサイズ（１／４トーン間隔）に対応するＯＦＤＭシンボルは、２０４８個のトーンを含む。−１０２４から１０２３まで索引付けされた２０４８個のトーンは、ガードトーン、ＤＣトーン、データトーン、及びパイロットトーンを含む。１３個の最下位周波数トーン、及び１２個の最上位周波数トーンはガードトーンである。−１から＋１まで索引付けされた３つのトーンはＤＣトーンである。一実施形態において、２０４８個のトーンは１０個のパイロットトーンを更に含む。一実施形態において、１０個のパイロットトーンは、１６０ＭＨｚ帯域幅にわたり少なくともほぼ均等に間隔を空けて配置されている。一実施形態において、１０個のパイロットトーンのパイロットトーン位置は４で割り切れる。しかし別の実施形態において、１０個のパイロットトーンのパイロットトーン位置は、必ずしも４で割り切れるわけではない。一実施形態において、２０４８個のトーンは２０１０個のデータトーンを含む。この実施形態において、データトーンの数は３及び６で割り切れる。この実施形態において、データトーン効率はおよそ９８．１４％（２０１０個のデータトーン／２０４８個の合計トーン）である。
【００９５】
図１０は、一実施形態に従って、ＡＰ１４がクライアントステーション（例えば、クライアントステーション２５−１）にＯＦＤＭ変調を介して送信するよう構成されている、ＰＨＹデータユニット１０００の図である。一実施形態において、クライアントステーション２５−１も、データユニット１０００をＡＰ１４に送信するよう構成されている。一実施形態において、図５のＰＨＹ処理ユニット５００、又は図６のＰＨＹ処理ユニット６００などのＰＨＹ処理ユニットは、データユニット１０００を生成するよう構成されている。しかし他の複数の実施形態において、データユニット１０００は、図５のＰＨＹ処理ユニット５００、又は図６のＰＨＹ処理ユニット６００と異なるＰＨＹ処理ユニットにより生成される。
【００９６】
ＯＦＤＭデータユニット１０００は、図２ＡのＯＦＤＭデータユニット２００と類似しており、図２ＡのＯＦＤＭデータユニット２００の同一の要素のうち多くを含む。図２ＡのＯＦＤＭデータユニット２００と同じ番号の要素のうち少なくともいくつかは、単に簡潔にするために詳細に論じられることはない。更に、ＯＦＤＭデータユニット１０００は、信号拡張（ＳＥ）フィールド１００２を含む。図示された実施形態において、ＳＥフィールド１００２はデータフィールド２０４に続く。一実施形態において、ＳＥフィールド１００２は、データユニット１０００の受信機が、データユニット１０００の受信に成功した（又は失敗した）ことを知らせる確認応答を送信する前に、データユニット１０００の末端を復号するのに用い得る余分の時間を提供する。例えば、一実施形態において、第１の通信に従って、１６μｓのショートフレーム間隔（ＳＩＦＳ）などの一定期間後に、受信デバイスは確認応答信号を送信する。しかし、少なくともいくつかの実施形態及び／又はシナリオにおいて、第１の通信プロトコルの縮小トーン間隔及びより高いデータ効率に起因して、受信デバイスは、データユニット１０００のデータフィールド２４０の各ＯＦＤＭシンボルの相対的により大きい数のビットを処理して復号する必要がある。特に、データユニット１０００が相対的により大きい帯域幅（例えば、８０ＭＨｚ、１６０ＭＨｚなど）に対応する送信モード、及び／又は、相対的により大きい変調オーダー及び／又は相対的に高い符号化レート（「高次のＭＣＳ」）の変調・符号化スキーム（ＭＣＳ）を用いる送信モードで送信される場合がそうである。一実施形態において、ＳＥフィールド１００２は、データユニット１０００の末端の後の一定期間（例えば、ＳＩＦＳ）が終了する前に、受信デバイスがデータ部２４０のＯＦＤＭシンボルを処理して復号し、確認応答フレームを準備することを可能にすべく、十分に長い時間を提供するのに適切な長さである。一実施形態において、受信機は、例えば、推定的にデータユニット１０００を受信する前、又はデータユニット１０００のプリアンブル（例えば、ＨＥＷ−ＳＩＧＡフィールド２２０及び／又はＨＥＷ−ＳＩＧＢフィールド２３５）を復号した後に、データユニット１０００のＳＥフィールド１００２の存在及び長さを認識する。更に、一実施形態において、Ｌ−ＳＩＧフィールド２１５の後の、データユニット１０００の長さを示すＬ−ＳＩＧフィールド２１５の長さ表示が、ＳＥフィールド１００２を含む長さを示す。しかし受信デバイスは、一実施形態において、ＳＥフィールド１００２を処理及び／又は復号する必要はない。
【００９７】
一実施形態において、ＳＥフィールド１００２は一連の「ゼロ」ビットを含む。別の実施形態において、ＳＥフィールド１００２は、任意の適切な「ジャンク」ビットを含む。一実施形態において、ＳＥフィールド１００２のジャンクビットは、データ部２４０にあるのと同じＰＡＰＲを保持すべく提供される。一実施形態において、ＳＥフィールド１００２は、標準的なトーン間隔及び０．８μｓの標準ガードインターバルを用いて生成する１つ又は複数のＯＦＤＭシンボルを含む。この実施形態において、ＳＥフィールド１００２の１つ又は複数のＯＦＤＭシンボルのそれぞれの時間長は４μｓである。しかし他の複数の実施形態において、ＳＥフィールド１００２の１つ又は複数のＯＦＤＭシンボルは、標準的なトーン間隔と異なる適切なトーン間隔、及び／又は、標準ガードインターバルと異なるガードインターバルで生成される。少なくともいくつかのそのような実施形態において、標準的なトーン間隔と異なる適切なトーン間隔、及び／又は、標準ガードインターバルと異なるガードインターバルで生成された１つ又は複数のＯＦＤＭシンボルのそれぞれの時間長は、４μｓと異なる値である。いくつかの実施形態において、データ部２４０の電力と同一の又は類似した電力を保持すべく、ＳＥフィールド１００２にパワーブーストが提供される。
【００９８】
一実施形態において、ＳＥフィールド１００２などのＳＥフィールドが、第１の通信プロトコルにより規定された全ての送信モード（例えば、全てのチャネル帯域幅、及び全ての変調・符号化スキーム）に準拠するデータユニットとともに用いられる。代替的に、別の実施形態において、ＳＥフィールド１００２などのＳＥフィールドが、第１の通信プロトコルにより規定されたいくつかの送信モードだけに準拠するデータユニットとともに（例えば、チャネル帯域幅と変調・符号化スキームのいくつかの組み合わせだけとともに）用いられる。単なる説明のための例として、一実施形態において、ＳＥフィールド１００２などのＳＥフィールドが、８０ＭＨｚ幅チャネル及び１６０ＭＨｚ幅チャネルとだけ用いられる。別の例として、ＳＥフィールド１００２などのＳＥフィールドが、８０ＭＨｚ幅チャネル及び１６０ＭＨｚ幅チャネルとだけ、更に１つ又は複数の高次の変調・符号化スキームとだけ用いられる。一実施形態において、送信デバイスが、ＳＥフィールドをデータユニットに含めるかどうかを決定し、データユニットのプリアンブルにＳＥフィールドが存在する又は存在しないことを示す。例えば、一実施形態において、データユニット１０００のＨＥＷ−ＳＩＧＡフィールド２２０又はＨＥＷ−ＳＩＧＢフィールド２３５は、データユニット１１００にＳＥフィールドが存在する又は存在しないことを示す表示（例えば、１つのビット）を含む。
【００９９】
図１１は、一実施形態による、データユニットを生成する例示的な方法１１００のフロー図である。図１を参照すると、一実施形態において、方法１１００はネットワークインタフェースデバイス１６により実行される。例えば、１つのそのような実施形態において、ＰＨＹ処理ユニット２０は方法１１００を実行するよう構成されている。別の実施形態に従って、ＭＡＣ処理１８も方法１１００の少なくとも一部を実行するよう構成されている。図１を引き続き参照すると、更に別の実施形態において、方法１１００はネットワークインタフェースデバイス２７（例えば、ＰＨＹ処理ユニット２９及び／又はＭＡＣ処理ユニット２８）により実行される。他の複数の実施形態において、方法１１００は、他の適切なネットワークインタフェースデバイスにより実行される。
【０１００】
ブロック１１０２において、第１の通信プロトコルに準拠するデータユニットの１つ又は複数のＯＦＤＭシンボルが生成される。一実施形態において、各ＯＦＤＭシンボルは第１の帯域幅を占有し、第１のトーン間隔で生成され、一連のパイロットトーンを含む。一実施形態において、第１のトーン間隔は、第１の帯域幅に対して第２の通信プロトコルにより規定されたトーン間隔に対する縮小トーン間隔である。一例として、第１のトーン間隔は図３Ｃの縮小トーン間隔３５０に対応するが、第２のトーン間隔は図３Ａの標準的なトーン間隔３００に対応する。この実施形態において、第１のトーン間隔は、第２のトーン間隔に対して１／４倍に縮小されている。結果として、ブロック１１０２で生成されたＯＦＤＭシンボルは、第２の通信プロトコルに従って第１の帯域幅に対して生成されたＯＦＤＭシンボルと比較すると、より大きい数のトーン（４倍にスケーリングされている）を含む。その一方で、一実施形態において、ＯＦＤＭシンボルに含まれる一連のパイロットトーンは、第１の帯域幅に対して第２の通信プロトコルにより規定されたパイロットトーンの数と同一である。一実施形態において、第１の通信プロトコルはＨＥＷ通信プロトコルであり、第２の通信プロトコルはＩＥＥＥ８０２．１１ａｃ規格である。別の実施形態において、第１の通信プロトコル及び／又は第２の通信プロトコルは、別の適切な通信プロトコルである。
【０１０１】
ブロック１１０４において、データユニットが生成される。一実施形態において、図２Ａのデータユニット２００又は図１０のデータユニット１０００のうち一方が生成される。別の実施形態において、別の適切なデータユニットが生成される。一実施形態において、データユニットは、ブロック１１０２で生成された１つ又は複数のＯＦＤＭシンボルを含むよう生成される。一実施形態において、データユニットは、ブロック１１０２で生成された１つ又は複数のＯＦＤＭシンボルをデータユニットのデータ部に含むよう生成される。
【０１０２】
図１２は、一実施形態による、データユニットを生成する例示的な方法１２００のフロー図である。図１を参照すると、一実施形態において、方法１２００はネットワークインタフェースデバイス１６により実行される。例えば、１つのそのような実施形態において、ＰＨＹ処理ユニット２０は方法１２００を実行するよう構成されている。別の実施形態に従って、ＭＡＣ処理１８も方法１２００の少なくとも一部を実行するよう構成されている。図１を引き続き参照すると、更に別の実施形態において、方法１２００はネットワークインタフェースデバイス２７（例えば、ＰＨＹ処理ユニット２９及び／又はＭＡＣ処理ユニット２８）により実行される。他の複数の実施形態において、方法１２００は、他の適切なネットワークインタフェースデバイスにより実行される。
【０１０３】
ブロック１２０２において、データユニットの１つ又は複数のＯＦＤＭシンボルが生成される。ブロック１２０２は、ブロック１２０４及び１２０６を含む。ブロック１２０４において、データユニットが、第１の帯域幅に対応する第１の送信モード、又は第２の帯域幅に対応する第２の送信モードで送信される場合、１つ又は複数のＯＦＤＭシンボルは、第１の数のＯＦＤＭトーンに対応する第１のトーンマップに基づき生成される。一実施形態において、第２の帯域幅は第１の帯域幅の２倍である。例えば、一実施形態において、第１の帯域幅は２０ＭＨｚであり、第２の帯域幅は４０ＭＨｚである。他の複数の実施形態において、第１の帯域幅は２０ＭＨｚと異なる適切なバンド幅であり、及び／又は、第２の帯域幅は４０ＭＨｚと異なる適切なバンド幅である。一実施形態において、第１のトーンマップは２５６個のＯＦＤＭトーンに対応する（例えば、図７のトーンマップ７００、又は２５６個のＯＦＤＭトーンを有する別の適切なトーンマップ）。この実施形態において、データユニットが第１の帯域幅に対応する第１の送信モードで送信される場合、ブロック１２０４で生成された各ＯＦＤＭシンボルは、第１のトーンマップに基づき生成された２５６個のＯＦＤＭトーンを含む。同一の実施形態で続けると、データユニットが第２の帯域幅に対応する第２の送信モードで送信される場合、ブロック１２０４で生成された各ＯＦＤＭシンボルは、５１２個のＯＦＤＭトーンを含む。具体的には、データユニットが第２の送信モードで送信される場合、ブロック１２０４で生成された各ＯＦＤＭシンボルは、２５６個のＯＦＤＭトーンから成る２つのブロックを含み、一実施形態において、各ブロックは、第２の帯域幅のサブバンドに対応し、対応するサブバンドに移された又は反映された第１のトーンマップに基づき生成される。例えば、一実施形態において、第１のブロックは、４０ＭＨｚ幅チャネルの下位の２０ＭＨｚサブバンドに対応し、４０ＭＨｚ幅チャネルの下位の２０ＭＨｚサブバンドに移された又は反映された第１のトーンマップに基づき生成され、第２のブロックは、４０ＭＨｚ幅チャネルの上位の２０ＭＨｚサブバンドに対応し、４０ＭＨｚ幅チャネルの上位の２０ＭＨｚサブバンドに移された又は反映された第１のトーンマップに基づき生成される。別の実施形態において、第１のトーンマップは、２５６個のＯＦＤＭトーンと異なる適切な数のＯＦＤＭトーンを含む。
【０１０４】
ブロック１２０６において、データユニットが、第３の帯域幅に対応する第３の送信モード、又は第４の帯域幅に対応する第４の送信モードで送信される場合、１つ又は複数のＯＦＤＭシンボルは、第２の数のＯＦＤＭトーンに対応する第２のトーンマップに基づき生成される。一実施形態において、第３の帯域幅は第２の帯域幅の２倍であり、第４の帯域幅は第３の帯域幅の２倍である。例えば、一実施形態において、上記の実施形態で続けると、ブロック１２０４において第１の帯域幅が２０ＭＨｚであり、第２の帯域幅が４０ＭＨｚであるならば、ブロック１２０６において第３の帯域幅は８０ＭＨｚであり、第４の帯域幅は１６０ＭＨｚである。他の複数の実施形態において、第３の帯域幅は８０ＭＨｚと異なる適切なバンド幅であり、及び／又は、第４の帯域幅は１６０ＭＨｚと異なる適切なバンド幅である。一実施形態において、第２のトーンマップは１０２４個のＯＦＤＭトーンに対応する。この実施形態において、データユニットが第３の帯域幅に対応する第３の送信モードで送信される場合、ブロック１２０６で生成された各ＯＦＤＭシンボルは１０２４個のＯＦＤＭトーンを含む（例えば、図９のトーンマップ９００、又は１０２４個のＯＦＤＭトーンを有する別の適切なトーンマップ）。同一の実施形態で続けると、データユニットが第４の帯域幅に対応する第４の送信モードで送信される場合、ブロック１２０６で生成された各ＯＦＤＭシンボルは、２０４８個のＯＦＤＭトーンを含む。具体的には、データユニットが第２の送信モードで送信される場合、ブロック１２０６で生成された各ＯＦＤＭシンボルは、１０２４個のＯＦＤＭトーンから成る２つのブロックを含み、一実施形態において、各ブロックは、第４の帯域幅のサブバンドに対応し、第４の帯域幅の対応するサブバンドに移された又は反映された第２のトーンマップに基づき生成される。例えば、一実施形態において、第１のブロックは、１６０ＭＨｚ幅チャネルの下位の８０ＭＨｚサブバンドに対応し、１６０ＭＨｚ幅チャネルの下位の８０ＭＨｚサブバンドに移された又は反映された第２のトーンマップに基づき生成され、第２のブロックは、１６０ＭＨｚ幅チャネルの上位の８０ＭＨｚサブバンドに対応し、１６０ＭＨｚ幅チャネルの上位の８０ＭＨｚサブバンドに移された又は反映された第２のトーンマップに基づき生成される。別の実施形態において、第２のトーンマップは、１０２４個のＯＦＤＭトーンと異なる適切な数のＯＦＤＭトーンを含む。
【０１０５】
ブロック１２０８において、データユニットが生成される。一実施形態において、図２Ａのデータユニット２００又は図１０のデータユニット１０００のうち一方が生成される。別の実施形態において、別の適切なデータユニットが生成される。一実施形態において、データユニットは、ブロック１２０２で生成された１つ又は複数のＯＦＤＭシンボルを含むよう生成される。一実施形態において、データユニットは、ブロック１２０２で生成された１つ又は複数のＯＦＤＭシンボルをデータユニットのデータ部に含むよう生成される。
【０１０６】
本発明の更なる複数の態様は、次の複数の項目のうち１つ又は複数に関する。
【０１０７】
一実施形態において、通信チャネルを介した送信のデータユニット、つまり第１の通信プロトコルに準拠するデータユニットを生成する方法は、通信デバイスにおいて、１つ又は複数の直交周波数分割多重（ＯＦＤＭ）シンボルを生成する段階を含む。１つ又は複数のＯＦＤＭシンボルの各ＯＦＤＭシンボルは、（ｉ）第１の帯域幅を占有し、（ｉｉ）第１のトーン間隔で生成され、（ｉｉｉ）一連のパイロットトーンを含む。第１のトーン間隔は、第２のトーン間隔の１／Ｎの割合であり、第２のトーン間隔は、第２の通信プロトコルによって第１の帯域幅に対して規定され、Ｎは１より大きい正の整数である。一連のパイロットトーンは、第２の通信プロトコルによって第１の帯域幅に対して規定されたのと同じ数のパイロットトーンを含む。本方法は更に、通信デバイスにおいて、データユニットのデータ部に１つ又は複数のＯＦＤＭシンボルを含むデータユニットを生成する段階を含む。
【０１０８】
他の複数の実施形態において、本方法は、以下の特徴のうち１つ又は複数の任意の適切な組み合せを含む。
【０１０９】
１つ又は複数のＯＦＤＭシンボルを生成する段階は、１つ又は複数のバイナリ畳み込み符号（ＢＣＣ）エンコーダを用いて複数の情報ビットを符号化して、複数の符号化されたビットを生成する段階と、第１のセットのインターリーブパラメータを用いて、複数の符号化されたビットをインターリーブする段階であって、第１のセットのインターリーブパラメータの複数のインターリーブパラメータは、第２のセットのインターリーブパラメータの対応する複数のインターリーブパラメータのスケーリング版であり、第２のセットのインターリーブパラメータは、第２の通信プロトコルにより第１の帯域幅に対して規定される、インターリーブする段階と、インターリーブされた複数の符号化されたビットを複数のコンスタレーションポイント上にマッピングする段階と、１つ又は複数のＯＦＤＭシンボルを複数のコンスタレーションポイントに基づき形成する段階とを含む。
【０１１０】
第１のセットのインターリーブパラメータは、Ｎｃｏｌ、Ｎｒｏｗ、及びＮｒｏｔを含む。
【０１１１】
第１のセットのインターリーブパラメータのＮｃｏｌは、Ｎの平方根を乗じ且つ各ＯＦＤＭシンボルのデータトーンの総数に基づき調整された、第２のセットのインターリーブパラメータのＮｃｏｌである。
【０１１２】
第１のセットのインターリーブパラメータのＮｒｏｗは、Ｎの平方根を乗じた、第２のセットのインターリーブパラメータのＮｒｏｗである。
【０１１３】
第１のセットのインターリーブパラメータのＮｒｏｔは、Ｎを乗じた、第２のセットのインターリーブパラメータのＮｒｏｔである。
【０１１４】
１つ又は複数のＯＦＤＭシンボルを生成する段階は、１つ又は複数の低密度パリティチェック（ＬＤＰＣ）エンコーダを用いて複数の情報ビットを符号化して複数の符号化されたビットを生成する段階と、複数の符号化されたビットから成る複数のブロックを複数のコンスタレーションポイント上にマッピングする段階と、連続的に生成された複数のコンスタレーションポイントを、トーンマッピング距離Ｄ１を用いて複数の非連続トーン上にマッピングする段階とを含み、トーンマッピング距離Ｄ１は、第２の通信プロトコルにより第１の帯域幅に対して規定された対応するトーンマッピング距離Ｄ２のスケーリング版であり、Ｄ１＝Ｎ×Ｄ２である。
【０１１５】
１つ又は複数のＯＦＤＭシンボルの各ＯＦＤＭシンボルは、第１のセットのガードトーンを更に含み、第１のセットのガードトーンは、第２のセットのガードトーンのガードトーン数より大きい数のガードトーンを含み、第２のセットのガードトーンは、第２の通信プロトコルにより第１の帯域幅に対して規定される。
【０１１６】
第１の帯域幅は８０ＭＨｚであり、１つ又は複数のＯＦＤＭシンボルの各ＯＦＤＭシンボルは１０２４のトーンを含む。
【０１１７】
整数Ｎは４に等しい。
【０１１８】
データユニットを生成する段階は、１つ又は複数のＯＦＤＭシンボルに続く拡張信号フィールドを更に含むデータユニットを生成する段階を更に有し、拡張信号フィールドは、第２の通信プロトコルにより第１の帯域幅に対して規定された第２のトーン間隔を用いて生成される。
【０１１９】
別の実施形態において、装置はネットワークインタフェースデバイスを備え、ネットワークインタフェースデバイスは、１つ又は複数の集積回路を有し、第１の通信プロトコルに準拠するデータユニット用の１つ又は複数の直交周波数分割多重（ＯＦＤＭ）シンボルを生成するよう構成されている。１つ又は複数のＯＦＤＭシンボルの各ＯＦＤＭシンボルは、（ｉ）第１の帯域幅を占有し、（ｉｉ）第１のトーン間隔で生成され、（ｉｉｉ）一連のパイロットトーンを含む。第１のトーン間隔は、第２のトーン間隔の１／Ｎの割合であり、第２のトーン間隔は、第２の通信プロトコルによって第１の帯域幅に対して規定され、Ｎは１より大きい正の整数である。一連のパイロットトーンは、第２の通信プロトコルによって第１の帯域幅に対して規定されたのと同じ数のパイロットトーンを含む。１つ又は複数の集積回路は、データユニットのデータ部に１つ又は複数のＯＦＤＭシンボルを含むデータユニットを生成するよう更に構成されている。
【０１２０】
他の複数の実施形態において、本装置は、以下の特徴のうち１つ又は複数の任意の適切な組み合せを含む。
【０１２１】
１つ又は複数の集積回路は、１つ又は複数のバイナリ畳み込み符号（ＢＣＣ）エンコーダを用いて複数の情報ビットを符号化し、データユニットに含まれる複数の符号化されたビットを生成するよう更に構成されている。
【０１２２】
１つ又は複数の集積回路は、複数の符号化されたビットをインターリーブするよう更に構成され、第１のセットのインターリーブパラメータを用いて複数の符号化されたビットをインターリーブすることを含み、第１のセットのインターリーブパラメータの複数のインターリーブパラメータは、第２のセットのインターリーブパラメータの対応する複数のインターリーブパラメータのスケーリング版であり、第２のセットのインターリーブパラメータは、第２の通信プロトコルにより第１の帯域幅に対して規定される。
【０１２３】
１つ又は複数の集積回路は、インターリーブされた複数の符号化されたビットを複数のコンスタレーションポイント上にマッピングし、複数のコンスタレーションポイントに基づき１つ又は複数のＯＦＤＭシンボルを形成するよう更に構成されている。
【０１２４】
第１のセットのインターリーブパラメータは、Ｎｃｏｌ、Ｎｒｏｗ、及びＮｒｏｔを含む。
【０１２５】
第１のセットのインターリーブパラメータのＮｃｏｌは、Ｎの平方根を乗じ且つ各ＯＦＤＭシンボルのデータトーンの総数に基づき調整された、第２のセットのインターリーブパラメータのＮｃｏｌである。
【０１２６】
第１のセットのインターリーブパラメータのＮｒｏｗは、Ｎの平方根を乗じた、第２のセットのインターリーブパラメータのＮｒｏｗである。
【０１２７】
第１のセットのインターリーブパラメータのＮｒｏｔは、Ｎを乗じた、第２のセットのインターリーブパラメータのＮｒｏｔである。
【０１２８】
１つ又は複数の集積回路は、１つ又は複数の低密度パリティチェック（ＬＤＰＣ）エンコーダを用いて複数の情報ビットを符号化して、複数の符号化されたビットを生成するよう構成されている。
【０１２９】
１つ又は複数の集積回路は、複数の符号化されたビットから成る複数のブロックを複数のコンスタレーションポイント上にマッピングするよう更に構成されている。
【０１３０】
１つ又は複数の集積回路は、連続的に生成された複数のコンスタレーションポイントを、トーンマッピング距離Ｄ１を用いるなどして複数の非連続トーン上にマッピングするよう更に構成され、トーンマッピング距離Ｄ１は、第２の通信プロトコルにより第１の帯域幅に対して規定された対応するトーンマッピング距離Ｄ２のスケーリング版であり、Ｄ１＝Ｎ×Ｄ２である。
【０１３１】
１つ又は複数の集積回路は、第１のセットのガードトーンを更に含む１つ又は複数のＯＦＤＭシンボルの各ＯＦＤＭシンボルを生成するよう構成され、第１のセットのガードトーンは、第２のセットのガードトーンのガードトーン数より大きい数のガードトーンを含み、第２のセットのガードトーンは、第２の通信プロトコルにより第１の帯域幅に対して規定される。
【０１３２】
第１の帯域幅は８０ＭＨｚであり、１つ又は複数のＯＦＤＭシンボルの各ＯＦＤＭシンボルは１０２４のトーンを含む。
【０１３３】
整数Ｎは４に等しい。
【０１３４】
１つ又は複数の集積回路は、（ｉ）１つ又は複数のＯＦＤＭシンボルと、（ｉｉ）１つ又は複数のＯＦＤＭシンボルに続く拡張信号フィールドと、を含むデータユニットを生成するよう更に構成され、拡張信号フィールドは、第２の通信プロトコルにより第１の帯域幅に対して規定された第２のトーン間隔を用いて生成される。
【０１３５】
更に別の実施形態において、通信チャネルを介した送信のためにデータユニットを生成する方法は、通信デバイスにおいて、１つ又は複数の直交周波数分割多重（ＯＦＤＭ）シンボルを生成する段階を含み、第１の数のＯＦＤＭトーンに対応する第１のトーンマップに基づき、又は第２の数のＯＦＤＭトーンに対応する第２のトーンマップに基づき、１つ又は複数のＯＦＤＭシンボルを生成する段階を含む。第１のトーンマップは、データユニットが第１の帯域幅に対応する第１の送信モード、又は第２の帯域幅に対応する第２の送信モードで送信される場合に用いられ、第２の帯域幅は第１の帯域幅の２倍である。第２のトーンマップは、データユニットが第３の帯域幅に対応する第３の送信モード、又は第４の帯域幅に対応する第４の送信モードで送信される場合に用いられ、第３の帯域幅は第２の帯域幅の２倍であり、第４の帯域幅は第３の帯域幅の２倍である。本方法は、データユニットのデータ部に１つ又は複数のＯＦＤＭシンボルを含むデータユニットを生成する段階を更に含む。
【０１３６】
他の複数の実施形態において、本方法は、以下の特徴のうち１つ又は複数の任意の適切な組み合せを含む。
【０１３７】
第１の帯域幅は２０ＭＨｚであり、第２の帯域幅は４０ＭＨｚであり、第３の帯域幅は８０ＭＨｚであり、第４の帯域幅は１６０ＭＨｚである。
【０１３８】
第１の数のＯＦＤＭトーンは２５６個のトーンであり、第２の数のＯＦＤＭトーンは５１２個のトーンであり、第３の数のＯＦＤＭトーンは１０２４個のトーンであり、第４の数のＯＦＤＭトーンは２０４８個のトーンである。
【０１３９】
更に別の実施形態において、装置は、１つ又は複数の直交周波数分割多重（ＯＦＤＭ）シンボルを生成するよう構成された１つ又は複数の集積回路を有するネットワークインタフェースデバイスを備え、第１の数のＯＦＤＭトーンに対応する第１のトーンマップに基づき、又は第２の数のＯＦＤＭトーンに対応する第２のトーンマップに基づき、１つ又は複数のＯＦＤＭシンボルを生成することを含む。第１のトーンマップは、データユニットが第１の帯域幅に対応する第１の送信モード、又は第２の帯域幅に対応する第２の送信モードで送信される場合に用いられ、第２の帯域幅は第１の帯域幅の２倍である。第２のトーンマップは、データユニットが第３の帯域幅に対応する第３の送信モード、又は第４の帯域幅に対応する第４の送信モードで送信される場合に用いられ、第３の帯域幅は第２の帯域幅の２倍であり、第４の帯域幅は第３の帯域幅の２倍である。１つ又は複数の集積回路は、データユニットのデータ部に１つ又は複数のＯＦＤＭシンボルを含むデータユニットを生成するよう更に構成されている。
【０１４０】
他の複数の実施形態において、本装置は、以下の特徴のうち１つ又は複数の任意の適切な組み合せを含む。
【０１４１】
第１の帯域幅は２０ＭＨｚであり、第２の帯域幅は４０ＭＨｚであり、第３の帯域幅は８０ＭＨｚであり、第４の帯域幅は１６０ＭＨｚである。
【０１４２】
第１の数のＯＦＤＭトーンは２５６個のトーンであり、第２の数のＯＦＤＭトーンは５１２個のトーンであり、第３の数のＯＦＤＭトーンは１０２４個のトーンであり、第４の数のＯＦＤＭトーンは２０４８個のトーンである。上述された様々なブロック、動作、及び技術のうち少なくともいくつかは、ハードウェア、ファームウェア命令を実行するプロセッサ、ソフトウェア命令を実行するプロセッサ、又はそれらの任意の組み合わせを利用して実装され得る。ソフトウェア命令又はファームウェア命令を実行するプロセッサを利用して実装された場合、ソフトウェア命令又はファームウェア命令は、任意のコンピュータ可読メモリ、例えば、磁気ディスク、光ディスク、又は他の記憶媒体に、ＲＡＭ又はＲＯＭ又はフラッシュメモリ、プロセッサ、ハードディスクドライブ、光ディスクドライブ、テープドライブなどに格納され得る。同様に、ソフトウェア命令又はファームウェア命令は、例えば、コンピュータ可読ディスク又は他の可搬型のコンピュータ記憶メカニズム上を含む任意の知られた又は望まれる提供方法を介して、又は通信媒体を介して、ユーザ又はシステムに提供され得る。通信媒体は通常、コンピュータ可読命令、データ構成、プログラムモジュール、又は他のデータを、搬送波又は他の搬送メカニズムなどの変調データ信号に含む。用語「変調データ信号」は、信号の情報を符号化するような態様で設定又は変更された信号の特性のうち１つ又は複数を有する信号を意味する。限定ではなく例として、通信媒体は、有線ネットワーク又はダイレクト有線接続などの有線媒体、並びに、音波、無線周波数、赤外線、及び他の無線媒体などの無線媒体を含む。従って、ソフトウェア命令又はファームウェア命令は、電話回線、ＤＳＬ回線、ケーブルテレビ回線、光ファイバ回線、無線通信チャネル、インターネットなどの通信チャネルを介してユーザ又はシステムに提供され得る（これらの通信チャネルは、そのようなソフトウェアを可搬型の記憶媒体を介して提供するのと同一である、又はそれと互換性があるとみなされる）。ソフトウェア命令又はファームウェア命令は、プロセッサにより実行された場合に、プロセッサに様々な行為を実行させる機械可読命令を含み得る。
【０１４３】
ハードウェアに実装された場合、ハードウェアは、複数のディスクリートコンポーネント、集積回路、特定用途向け集積回路（ＡＳＩＣ）などのうち１つ又は複数を含み得る。
【０１４４】
本発明は、複数の特定の例を参照して説明されているが、それらの例は本発明を説明することのみを意図するものであって、限定することを意図するものではなく、複数の変更、追加、及び／又は削除が、本発明の範囲を逸脱することなく開示された複数の実施形態に行われてよい。本明細書によれば、以下の各項目に記載の事項もまた開示される。
［項目１］
通信チャネルを介した送信のためのデータユニットを生成する方法であって、前記データユニットは第１の通信プロトコルに準拠し、前記方法は、
通信デバイスにおいて、１つ又は複数の直交周波数分割多重（ＯＦＤＭ）シンボルを生成する段階であって、前記１つ又は複数のＯＦＤＭシンボルの各ＯＦＤＭシンボルは、（ｉ）第１の帯域幅を占有し、（ｉｉ）第１のトーン間隔で生成され、（ｉｉｉ）一連のパイロットトーンを含み、前記第１のトーン間隔は、第２のトーン間隔の１／Ｎの割合であり、前記第２のトーン間隔は、第２の通信プロトコルにより前記第１の帯域幅に対して規定され、Ｎは１より大きい正の整数であり、前記一連のパイロットトーンは、前記第２の通信プロトコルにより第２の帯域幅に対して規定されたのと少なくとも同じ数のパイロットトーンを含み、前記第２の帯域幅が前記第１の帯域幅のＮ倍である、段階と、
前記通信デバイスにおいて、前記データユニットのデータ部に前記１つ又は複数のＯＦＤＭシンボルを含む前記データユニットを生成する段階と、
を備える、
方法。
［項目２］
前記１つ又は複数のＯＦＤＭシンボルを生成する段階は、
１つ又は複数のバイナリ畳み込み符号（ＢＣＣ）エンコーダを用いて複数の情報ビットを符号化して、複数の符号化されたビットを生成する段階と、
第１のセットのインターリーブパラメータを用いて前記複数の符号化されたビットをインターリーブする段階であって、前記第１のセットのインターリーブパラメータの複数のインターリーブパラメータは、第２のセットのインターリーブパラメータの対応する複数のインターリーブパラメータのスケーリング版であり、前記第２のセットのインターリーブパラメータは、前記第２の通信プロトコルにより前記第１の帯域幅に対して規定される、段階と、
インターリーブされた前記複数の符号化されたビットを複数のコンスタレーションポイント上にマッピングする段階と、
前記１つ又は複数のＯＦＤＭシンボルを前記複数のコンスタレーションポイントに基づき形成する段階と、
を含む、
項目１に記載の方法。
［項目３］
前記第１のセットのインターリーブパラメータは、Ｎｃｏｌ、Ｎｒｏｗ、及びＮｒｏｔを含み、
前記第１のセットのインターリーブパラメータのＮｃｏｌは、Ｎの平方根を乗じ、各ＯＦＤＭシンボルのデータトーンの総数に基づき調整された、前記第２のセットのインターリーブパラメータのＮｃｏｌであり、
前記第１のセットのインターリーブパラメータのＮｒｏｗは、Ｎの平方根を乗じた前記第２のセットのインターリーブパラメータのＮｒｏｗであり、
前記第１のセットのインターリーブパラメータのＮｒｏｔは、Ｎを乗じた前記第２のセットのインターリーブパラメータのＮｒｏｔである、
項目２に記載の方法。
［項目４］
前記１つ又は複数のＯＦＤＭシンボルを生成する段階は、
１つ又は複数の低密度パリティチェック（ＬＤＰＣ）エンコーダを用いて複数の情報ビットを符号化して複数の符号化されたビットを生成する段階と、
前記複数の符号化されたビットから成る複数のブロックを複数のコンスタレーションポイント上にマッピングする段階と、
連続的に生成された複数のコンスタレーションポイントを、トーンマッピング距離Ｄ１を用いて複数の非連続トーン上にマッピングする段階であって、前記トーンマッピング距離Ｄ１は、前記第２の通信プロトコルにより前記第１の帯域幅に対して規定された対応するトーンマッピング距離Ｄ２のスケーリング版であり、Ｄ１＝Ｎ×Ｄ２である、段階と、
を含む、
項目１から３の何れか一項に記載の方法。
［項目５］
前記１つ又は複数のＯＦＤＭシンボルの各ＯＦＤＭシンボルは、第１のセットのガードトーンを更に含み、
前記第１のセットのガードトーンは、第２のセットのガードトーンのガードトーン数より大きい数のガードトーンを含み、前記第２のセットのガードトーンは、前記第２の通信プロトコルにより前記第１の帯域幅に対して規定される、
項目１から４の何れか一項に記載の方法。
［項目６］
前記第１の帯域幅は２０ＭＨｚであり、前記１つ又は複数のＯＦＤＭシンボルの各ＯＦＤＭシンボルは２５６のトーンを含む、
項目１から５の何れか一項に記載の方法。
［項目７］
整数である前記Ｎは４に等しい、
項目１から６の何れか一項に記載の方法。
［項目８］
前記データユニットを生成する段階は、
前記１つ又は複数のＯＦＤＭシンボルに続く拡張信号フィールドを更に含む前記データユニットを生成する段階を更に有し、
前記拡張信号フィールドは、前記第２の通信プロトコルにより前記第１の帯域幅に対して規定された前記第２のトーン間隔を用いて生成される、
項目１から７の何れか一項に記載の方法。
［項目９］
第１の通信プロトコルに準拠するデータユニット用の１つ又は複数の直交周波数分割多重（ＯＦＤＭ）シンボルを生成し、
前記データユニットのデータ部に前記１つ又は複数のＯＦＤＭシンボルを含む前記データユニットを生成する、
１つ又は複数の集積回路を有するネットワークインタフェースデバイスを備え、
前記１つ又は複数のＯＦＤＭシンボルの各ＯＦＤＭシンボルは、（ｉ）第１の帯域幅を占有し、（ｉｉ）第１のトーン間隔で生成され、（ｉｉｉ）一連のパイロットトーンを含み、
前記第１のトーン間隔は第２のトーン間隔の１／Ｎの割合であり、前記第２のトーン間隔は、第２の通信プロトコルにより前記第１の帯域幅に対して規定され、Ｎは１より大きい正の整数であり、前記一連のパイロットトーンは、前記第２の通信プロトコルにより第２の帯域幅に対して規定されたのと少なくとも同じ数のパイロットトーンを含み、前記第２の帯域幅が前記第１の帯域幅のＮ倍である、
装置。
［項目１０］
前記１つ又は複数の集積回路は更に、
１つ又は複数のバイナリ畳み込み符号（ＢＣＣ）エンコーダを用いて複数の情報ビットを符号化して、前記データユニットに含まれる複数の符号化されたビットを生成し、
前記複数の符号化されたビットを、第１のセットのインターリーブパラメータを用いてインターリーブし、
前記第１のセットのインターリーブパラメータの複数のインターリーブパラメータは、第２のセットのインターリーブパラメータの対応する複数のインターリーブパラメータのスケーリング版であり、前記第２のセットのインターリーブパラメータは、前記第２の通信プロトコルにより前記第１の帯域幅に対して規定され、
インターリーブされた前記複数の符号化されたビットを複数のコンスタレーションポイント上にマッピングし、
前記複数のコンスタレーションポイントに基づき、前記１つ又は複数のＯＦＤＭシンボルを形成する、
項目９に記載の装置。
［項目１１］
前記第１のセットのインターリーブパラメータは、Ｎｃｏｌ、Ｎｒｏｗ、及びＮｒｏｔを含み、
前記第１のセットのインターリーブパラメータのＮｃｏｌは、Ｎの平方根を乗じ、各ＯＦＤＭシンボルのデータトーンの総数に基づき調整された、前記第２のセットのインターリーブパラメータのＮｃｏｌであり、
前記第１のセットのインターリーブパラメータのＮｒｏｗは、Ｎの平方根を乗じた前記第２のセットのインターリーブパラメータのＮｒｏｗであり、
前記第１のセットのインターリーブパラメータのＮｒｏｔは、Ｎを乗じた前記第２のセットのインターリーブパラメータのＮｒｏｔである、
項目１０に記載の装置。
［項目１２］
前記１つ又は複数の集積回路は、
１つ又は複数の低密度パリティチェック（ＬＤＰＣ）エンコーダを用いて複数の情報ビットを符号化して複数の符号化されたビットを生成し、
前記複数の符号化されたビットから成る複数のブロックを複数のコンスタレーションポイント上にマッピングし、
連続的に生成された複数のコンスタレーションポイントを、トーンマッピング距離Ｄ１を用いて複数の非連続トーン上にマッピングし、
前記トーンマッピング距離Ｄ１は、前記第２の通信プロトコルにより前記第１の帯域幅に対して規定された対応するトーンマッピング距離Ｄ２のスケーリング版であり、Ｄ１＝Ｎ×Ｄ２である、
項目９から１１の何れか一項に記載の装置。
［項目１３］
前記１つ又は複数の集積回路は、
第１のセットのガードトーンを更に含む前記１つ又は複数のＯＦＤＭシンボルの各ＯＦＤＭシンボルを生成し、
前記第１のセットのガードトーンは、第２のセットのガードトーンのガードトーン数より大きい数のガードトーンを含み、前記第２のセットのガードトーンは、前記第２の通信プロトコルにより前記第１の帯域幅に対して規定される、
項目９から１２の何れか一項に記載の装置。
［項目１４］
前記第１の帯域幅は２０ＭＨｚであり、前記１つ又は複数のＯＦＤＭシンボルの各ＯＦＤＭシンボルは２５６のトーンを含む、
項目９から１３の何れか一項に記載の装置。
［項目１５］
整数である前記Ｎは４に等しい、
項目９から１４の何れか一項に記載の装置。
［項目１６］
前記１つ又は複数の集積回路は更に、（ｉ）前記１つ又は複数のＯＦＤＭシンボルと、（ｉｉ）前記１つ又は複数のＯＦＤＭシンボルに続く拡張信号フィールドと、を含む前記データユニットを生成し、
前記拡張信号フィールドは、前記第２の通信プロトコルにより前記第１の帯域幅に対して規定された前記第２のトーン間隔を用いて生成される、
項目９から１５の何れか一項に記載の装置。
【図１】
2019071647.tif 000006
【図２Ａ】
2019071647.tif 000007
【図２Ｂ】
2019071647.tif 000008
【図３Ａ】
2019071647.tif 000009
【図３Ｂ】
2019071647.tif 000010
【図３Ｃ】
2019071647.tif 000011
【図４】
2019071647.tif 000012
【図５】
2019071647.tif 000013
【図６】
2019071647.tif 000014
【図７】
2019071647.tif 000015
【図８】
2019071647.tif 000016
【図９】
2019071647.tif 000017
【図１０】
2019071647.tif 000018
【図１１】
2019071647.tif 000019
【図１２】
2019071647.tif 000020
【外国語明細書】
2019071647000001.pdf